(57)【要約】【課題】新規なケーブルを提供する。【解決手段】ケーブル（２１００）は、１つ又は２つ以上の導体セットと、１つ又は２つ以上の誘電単一ブロック（２１０２）又はリザーバと、導体セット及び誘電ブロック（２１０２）又はリザーバの互いに向かい合う第１及び第２の側面上に配置された第１及び第２の導電性遮蔽フィルム（２１０８）と、接着層（２１０４）と、を含む。遮蔽フィルム（２１０８）は、カバー部分と、挟み付け部分と、を含み、該カバー部分及び挟み付け部分は、断面において、遮蔽フィルムのカバー部分が組み合わさって各導体セット及び各単一ブロック（２１０２）又はリザーバを実質的に包囲し、遮蔽フィルムの挟み付け部分が組み合わさって、導体セットの両側において、かつ、単一ブロック（２１０２）又はリザーバの少なくとも片側において、ケーブルの挟み付け部分を形成するように配置構成される。接着層（２１４０）が、このケーブルの挟み付け部分において、第１の遮蔽フィルムを第２の遮蔽フィルムに結合する。【選択図】図２１
2019091721.tif 000002
【特許請求の範囲】
【請求項１】
ケーブルであって、
１つ又は２つ以上の導体セットであって、各導体セットは、該ケーブルの長さに沿って延在し、かつ１つ又は２つ以上の絶縁導体を含み、各絶縁導体は、誘電材料によって包囲される中心導体を含む、導体セットと、
１つ又は２つ以上の誘電単一ブロックであって、各単一ブロックは、該ケーブルの長さに沿って延在する、誘電単一ブロックと、
該導体セット及び該誘電ブロックの互いに向かい合う第１及び第２の側面上に配置された第１及び第２の導電性遮蔽フィルムであって、該第１及び第２の導電性遮蔽フィルムは、カバー部分と、挟み付け部分と、を含み、該カバー部分及び該挟み付け部分は、断面において、該第１及び第２の遮蔽フィルムの該カバー部分が組み合わさって各導体セット及び各単一ブロックを実質的に包囲し、該第１及び第２の遮蔽フィルムの該挟み付け部分が組み合わさって、該導体セットの両側において、かつ、該単一ブロックの少なくとも片側において、該ケーブルの挟み付け部分を形成するように配置構成される、第１及び第２の導電性遮蔽フィルムと、
該ケーブルの該挟み付け部分において、該第１の遮蔽フィルムを該第２の遮蔽フィルムに結合する接着層と、を含む、ケーブル。
【請求項２】
前記単一ブロックは、前記第１及び第２の導電性遮蔽フィルムの少なくとも一方の長手方向縁部の少なくとも一部分を覆う、請求項１に記載のケーブル。
【請求項３】
前記接着層は、前記第１及び第２の導電性遮蔽フィルムの少なくとも一方の長手方向縁部の少なくとも一部分を覆う、請求項１に記載のケーブル。
【請求項４】
前記単一ブロックは、２つの厚い突出部の間に配置された薄い中間部分を有した二葉状断面を有する、請求項１に記載のケーブル。
【請求項５】
前記単一ブロックは、概して直線的な断面を有する、請求項１に記載のケーブル。
【請求項６】
前記単一ブロックは、概して曲線的な断面を有する、請求項１に記載のケーブル。
【請求項７】
ケーブルであって、
１つ又は２つ以上の導体セットであって、各導体セットは、該ケーブルの長さに沿って延在し、かつ１つ又は２つ以上の絶縁導体を含み、各絶縁導体は、誘電材料によって包囲される中心導体を含む、導体セットと、
該ケーブルの縁部に沿って配置され、該ケーブルの長さに沿って延在し、かつ、厚い第１及び第２の突出部の間に配置された薄い中間部分を有した二葉状断面を有する、誘電単一ブロックと、
該導体セット及び該単一ブロックの互いに向かい合う第１及び第２の側面上に配置された第１及び第２の導電性遮蔽フィルムであって、該第１及び第２の導電性遮蔽フィルムは、カバー部分と、挟み付け部分と、を含み、該カバー部分及び該挟み付け部分は、断面において、該第１及び第２の遮蔽フィルムの該カバー部分が組み合わさって各導体セット及び該単一ブロックの該第１の突出部を実質的に包囲し、該第１及び第２の遮蔽フィルムの該挟み付け部分が組み合わさって、該導体セットの両側において、かつ、該第２の突出部と向かい合う該第１の突出部の側面において、該ケーブルの挟み付け部分を形成するように配置構成され、該第１及び第２の導電性遮蔽フィルムのそれぞれの縁部は、該単一ブロックの該薄い中間部分に配置される、第１及び第２の導電性遮蔽フィルムと、
該ケーブルの該挟み付け部分において、該第１の遮蔽フィルムを該第２の遮蔽フィルムに結合し、かつ、該第１及び第２の遮蔽フィルムを該単一ブロックの該第１の突出部に結合する接着層と、を含む、ケーブル。
【請求項８】
ケーブルであって、
１つ又は２つ以上の導体セットであって、各導体セットは、該ケーブルの長さに沿って延在し、かつ１つ又は２つ以上の絶縁導体を含み、各絶縁導体は、誘電材料によって包囲される中心導体を含む、導体セットと、
１つ又は２つ以上のリザーバであって、各リザーバは、該ケーブルの長さに沿って延在し、かつ第１の誘電材料で充填されている、リザーバと、
該導体セット及び該リザーバの互いに向かい合う第１及び第２の側面上に配置された第１及び第２の導電性遮蔽フィルムであって、該第１及び第２の導電性遮蔽フィルムは、カバー部分と、挟み付け部分と、を含み、該カバー部分及び該挟み付け部分は、断面において、該第１及び第２の遮蔽フィルムの該カバー部分が組み合わさって各導体セット及び各リザーバを実質的に包囲し、該第１及び第２の遮蔽フィルムの該挟み付け部分が組み合わさって、該導体セット及び該リザーバの両側において、該ケーブルの挟み付け部分を形成するように配置構成される、第１及び第２の導電性遮蔽フィルムと、
該ケーブルの該挟み付け部分において、該第１の遮蔽フィルムを該第２の遮蔽フィルムに結合する接着層と、を含み、該第１及び第２の遮蔽フィルムは、第１及び第２の導電性層をそれぞれ含み、該第１及び
第２の導電性層は、第１及び第２の基材上にそれぞれ配置され、該第１及び第２の導電性層は、互いに向かい合い、リザーバに対応するカバー部分において、該第１の基材ではなく、該第１の導電性層が、該ケーブルの長さの少なくとも一部分に沿って延在する開口部を含む、ケーブル。
【請求項９】
前記第１の誘電材料が接着剤を含む、請求項８に記載のケーブル。
【請求項１０】
ケーブルであって、
１つ又は２つ以上の導体セットであって、各導体セットは、該ケーブルの長さに沿って延在し、かつ１つ又は２つ以上の絶縁導体を含み、各絶縁導体は、誘電材料によって包囲される中心導体を含む、導体セットと、
１つ又は２つ以上のリザーバであって、各リザーバは、該ケーブルの長さに沿って延在し、かつ第１の誘電材料で充填されている、リザーバと、
該導体セット及び該リザーバの互いに向かい合う第１及び第２の側面上に配置された第１及び第２の導電性遮蔽フィルムであって、該第１及び第２の導電性遮蔽フィルムは、カバー部分と、挟み付け部分と、を含み、該カバー部分及び該挟み付け部分は、断面において、該第１及び第２の遮蔽フィルムの該カバー部分が組み合わさって各導体セット及び各リザーバを実質的に包囲し、該第１及び第２の遮蔽フィルムの該挟み付け部分が組み合わさって、該導体セット及び該リザーバの両側において、該ケーブルの挟み付け部分を形成するように配置構成される、第１及び第２の導電性遮蔽フィルムと、
該ケーブルの該挟み付け部分において、該第１の遮蔽フィルムを該第２の遮蔽フィルムに結合する接着層と、を含み、該第１及び第２の遮蔽フィルムは、第１及び第２の導電性層をそれぞれ含み、該第１及び第２の導電性層は、第１及び第２の基材上にそれぞれ配置され、該第１及び第２の導電性層は、互いに向かい合い、リザーバに対応するカバー部分において、該第１及び第２の導電性層の長手方向縁部は、該第１及び第２の基材の長手方向縁部に対して引っ込んでいる、ケーブル。
【請求項１１】
前記第１及び第２の導電性層の前記長手方向縁部は、前記第１及び第２の基材の前記長手方向縁部よりも粗い、請求項１０に記載のケーブル。
【発明の詳細な説明】
【背景技術】
【０００１】
電気信号の伝送用の電気ケーブルが既知である。電気ケーブルの１つの一般的なタイプは、同軸ケーブルである。同軸ケーブルは、全般的には、絶縁体によって包囲される導電性のワイヤーを含む。これらのワイヤー及び絶縁体は、典型的には、遮蔽体によって包囲され、それらのワイヤー、絶縁体、及び遮蔽体は、ジャケットによって包囲される。電気ケーブルの別の一般的なタイプは、例えば金属箔によって形成される遮蔽層によって包囲される、１つ又は２つ以上の絶縁信号導体を含む、遮蔽電気ケーブルである。この遮蔽層の電気的接続を促進するために、更なる非絶縁導体が、遮蔽層と信号導体の絶縁体との間に提供される場合がある。
【発明の概要】
【課題を解決するための手段】
【０００２】
少なくとも一態様において、本発明は、１つ又は２つ以上の導体セットと、１つ又は２つ以上の誘電単一ブロックと、該導体セット及び該誘電ブロックの互いに向かい合う第１及び第２の側面上に配置された第１及び第２の導電性遮蔽フィルムと、接着層と、を含む、ケーブルを提供する。各導体セットは、ケーブルの長さに沿って延在し、１つ又は２つ以上の絶縁導体を含む。各絶縁導体は、誘電材料によって包囲された中心導体を含んでいる。各単一ブロックは、ケーブルの長さに沿って延在する。第１及び第２の導電性遮蔽フィルムは、カバー部分と、挟み付け部分と、を含み、該カバー部分及び挟み付け部分は、断面において、第１及び第２の遮蔽フィルムのカバー部分が組み合わさって各導体セット及び各単一ブロックを実質的に包囲し、第１及び第２の遮蔽フィルムの挟み付け部分が組み合わさって、導体セットの両側において、かつ、単一ブロックの少なくとも片側において、ケーブルの挟み付け部分を形成するように配置構成される。接着層が、ケーブルの挟み付け部分において、第１の遮蔽フィルムを第２の遮蔽フィルムに結合する。
【０００３】
少なくとも一態様において、本発明は、１つ又は２つ以上の導体セットと、誘電単一ブロックと、該導体セット及び該単一ブロックの互いに向かい合う第１及び第２の側面上に配置された第１及び第２の導電性遮蔽フィルムと、接着層と、を含む、ケーブルを提供する。各導体セットは、ケーブルの長さに沿って延在し、１つ又は２つ以上の絶縁導体を含む。各絶縁導体は、誘電材料によって包囲された中心導体を含んでいる。誘電単一ブロックは、ケーブルの縁部に沿って配置され、ケーブルの長さに沿って延在し、かつ、厚い第１及び第２の突出部の間に配置された薄い中間部分を有した二葉状断面を有する。第１及び第２の導電性遮蔽フィルムは、カバー部分と、挟み付け部分と、を含み、該カバー部分及び挟み付け部分は、断面において、第１及び第２の遮蔽フィルムのカバー部分が組み合わさって各導体セット及び単一ブロックの第１の突出部を実質的に包囲し、第１及び第２の遮蔽フィルムの挟み付け部分が組み合わさって、導体セットの両側において、かつ、第２の突出部と向かい合う第１の突出部の側面において、ケーブルの挟み付け部分を形成するように配置構成され、第１及び第２の導電性遮蔽フィルムのそれぞれの縁部は、単一ブロックの薄い中間部分に配置される。接着層は、ケーブルの挟み付け部分において、第１の遮蔽フィルムを第２の遮蔽フィルムに結合し、かつ、第１及び第２の遮蔽フィルムを単一ブロックの第１の突出部に結合する。
【０００４】
少なくとも一態様において、本発明は、１つ又は２つ以上の導体セットと、１つ又は２つ以上のリザーバと、該導体セット及び該リザーバの互いに向かい合う第１及び第２の側面上に配置された第１及び第２の導電性遮蔽フィルムと、接着層と、を含む、ケーブルを提供する。各導体セットは、ケーブルの長さに沿って延在し、１つ又は２つ以上の絶縁導体を含む。各絶縁導体は、誘電材料によって包囲された中心導体を含んでいる。各リザーバは、ケーブルの長さに沿って延在し、かつ第１の誘電材料で充填されている。第１及び第２の導電性遮蔽フィルムは、カバー部分と、挟み付け部分と、を含み、カバー部分及び挟み付け部分は、断面において、第１及び第２の遮蔽フィルムのカバー部分が組み合わさって各導体セット及び各リザーバを実質的に包囲し、第１及び第２の遮蔽フィルムの挟み付け部分が組み合わさって、導体セット及びリザーバの両側において、ケーブルの挟み付け部分を形成するように配置構成される。接着層が、ケーブルの挟み付け部分において、第１の遮蔽フィルムを第２の遮蔽フィルムに結合する。第１及び第２の遮蔽フィルムは、第１及び第２の導電性層をそれぞれ含み、第１及び第２の導電性層は、第１及び第２の基材上にそれぞれ配置され、第１及び第２の導電性層は、互いに向かい合っている。リザーバに対応するカバー部分において、第１の基材ではなく、第１の導電性層が、ケーブルの長さの少なくとも一部分に沿って延在する開口部を含む。
【０００５】
少なくとも一態様において、本発明は、１つ又は２つ以上の導体セットと、１つ又は２つ以上のリザーバと、該導体セット及び該リザーバの互いに向かい合う第１及び第２の側面上に配置された第１及び第２の導電性遮蔽フィルムと、接着層と、を含む、ケーブルを提供する。各導体セットは、ケーブルの長さに沿って延在し、１つ又は２つ以上の絶縁導体を含む。各絶縁導体は、誘電材料によって包囲された中心導体を含んでいる。各リザーバは、ケーブルの長さに沿って延在し、かつ第１の誘電材料で充填されている。第１及び第２の導電性遮蔽フィルムは、カバー部分と、挟み付け部分と、を含み、カバー部分及び挟み付け部分は、断面において、第１及び第２の遮蔽フィルムのカバー部分が組み合わさって各導体セット及び各リザーバを実質的に包囲し、第１及び第２の遮蔽フィルムの挟み付け部分が組み合わさって、導体セット及びリザーバの両側において、ケーブルの挟み付け部分を形成するように配置構成される。接着層が、ケーブルの挟み付け部分において、第１の遮蔽フィルムを第２の遮蔽フィルムに結合する。第１及び第２の遮蔽フィルムは、第１及び第２の導電性層をそれぞれ含み、第１及び第２の導電性層は、第１及び第２の基材上にそれぞれ配置され、第１及び第２の導電性層は、互いに向かい合っている。リザーバに対応するカバー部分において、第１及び第２の導電性層の長手方向縁部は、第１及び第２の基材の長手方向縁部に対して引っ込んでいる。
【０００６】
本発明の上記概要は、本発明が開示する各実施形態又はあらゆる実施を説明することを意図したものではない。本発明の１つ又は２つ以上の実施形態の詳細を添付の図面及び以下の発明を実施するための形態において示す。本発明の他の特徴、目的、及び利点は、発明を実施するための形態及び図面、並びに特許請求の範囲から明らかとなるであろう。
【図面の簡単な説明】
【０００７】
添付図面は本明細書の一部に組み込まれ、構成するものであって、明細書の記載とともに本明細書の利点と原則を説明する。図面において、
【図１】縁部絶縁電気ケーブルの例示的な実施形態を示す。
【図２】縁部絶縁構造の例示的な実施形態の断面図である。
【図３Ａ】縁部ビードの幾つかの例示的な実施形態を示す。
【図３Ｂ】縁部ビードの幾つかの例示的な実施形態を示す。
【図３Ｃ】縁部ビードの幾つかの例示的な実施形態を示す。
【図３Ｄ】縁部ビードの幾つかの例示的な実施形態を示す。
【図４】ケーブルに沿って長さ方向に延在するリザーバを有する、電気ケーブルの例示的な実施形態の断面図である。
【図５】リザーバ内に配置された誘電材料によって形成される、縁部ビードの例示的な実施形態を示す。
【図６Ａ】縁部フィルム内の縁部絶縁構造の、多くの例示的な実施形態を示す。
【図６Ｂ】縁部フィルム内の縁部絶縁構造の、多くの例示的な実施形態を示す。
【図６Ｃ】縁部フィルム内の縁部絶縁構造の、多くの例示的な実施形態を示す。
【図６Ｄ】縁部フィルム内の縁部絶縁構造の、多くの例示的な実施形態を示す。
【図６Ｅ】縁部フィルム内の縁部絶縁構造の、多くの例示的な実施形態を示す。
【図７Ａ】折り曲げによって形成される縁部絶縁構造の、多くの例示的な実施形態を示す。
【図７Ｂ】折り曲げによって形成される縁部絶縁構造の、多くの例示的な実施形態を示す。
【図７Ｃ】折り曲げによって形成される縁部絶縁構造の、多くの例示的な実施形態を示す。
【図７Ｄ】折り曲げによって形成される縁部絶縁構造の、多くの例示的な実施形態を示す。
【図７Ｅ】折り曲げによって形成される縁部絶縁構造の、多くの例示的な実施形態を示す。
【図７Ｆ】折り曲げによって形成される縁部絶縁構造の、多くの例示的な実施形態を示す。
【図７Ｇ】折り曲げによって形成される縁部絶縁構造の、多くの例示的な実施形態を示す。
【図７Ｈ】折り曲げによって形成される縁部絶縁構造の、多くの例示的な実施形態を示す。
【図７Ｉ】折り曲げによって形成される縁部絶縁構造の、多くの例示的な実施形態を示す。
【図７Ｊ】折り曲げによって形成される縁部絶縁構造の、多くの例示的な実施形態を示す。
【図７Ｋ】折り曲げによって形成される縁部絶縁構造の、多くの例示的な実施形態を示す。
【図７Ｌ】折り曲げによって形成される縁部絶縁構造の、多くの例示的な実施形態を示す。
【図７Ｍ】折り曲げによって形成される縁部絶縁構造の、多くの例示的な実施形態を示す。
【図７Ｎ】折り曲げによって形成される縁部絶縁構造の、多くの例示的な実施形態を示す。
【図７Ｏ】折り曲げによって形成される縁部絶縁構造の、多くの例示的な実施形態を示す。
【図７Ｐ】折り曲げによって形成される縁部絶縁構造の、多くの例示的な実施形態を示す。
【図８】ダイアセンブリの例示的な実施形態を示す。
【図９Ａ】ダイチップの実施形態の斜視図を示す。
【図９Ｂ】図９Ａに示すダイアセンブリの実施形態の側面図を示す。
【図９Ｃ】フィルムの縁部を覆う縁部絶縁構造の拡大図を示す。
【図１０Ａ】ダイチップの別の実施形態の斜視図を示す。
【図１０Ｂ】図１０Ａに示すダイチップの実施形態の側面図を示す。
【図１１Ａ】ダイチップの２つの実施形態の拡大斜視図を示す。
【図１１Ｂ】ダイチップの２つの実施形態の拡大斜視図を示す。
【図１２Ａ】ダイチップの実施形態のダイリップ開放図を示す。
【図１２Ｂ】図１２Ａに示すダイチップの実施形態の側面図を示す。
【図１３Ａ】ダイチップの別の実施形態のダイリップ開放図を示す。
【図１３Ｂ】図１３Ａに示すダイチップの実施形態の側面図を示す。
【図１４Ａ】ダイチップの更に別の実施形態のダイリップ開放図を示す。
【図１４Ｂ】図１４Ａに示すダイチップの実施形態の側面図を示す。
【図１５Ａ】概して矩形の断面を有する単一ブロックを含む縁部絶縁構造の３つの例示的な実施形態を示す。
【図１５Ｂ】概して矩形の断面を有する単一ブロックを含む縁部絶縁構造の３つの例示的な実施形態を示す。
【図１５Ｃ】概して矩形の断面を有する単一ブロックを含む縁部絶縁構造の３つの例示的な実施形態を示す。
【図１６Ａ】概して矩形の断面を有する単一ブロックを含む縁部絶縁構造の例示的な作製方法を示す。
【図１６Ｂ】概して矩形の断面を有する単一ブロックを含む縁部絶縁構造の例示的な作製方法を示す。
【図１７Ａ】概して矩形の断面を有する単一ブロックを含む縁部絶縁構造の他の例示的な作製方法を示す。
【図１７Ｂ】概して矩形の断面を有する単一ブロックを含む縁部絶縁構造の他の例示的な作製方法を示す。
【図１７Ｃ】概して矩形の断面を有する単一ブロックを含む縁部絶縁構造の他の例示的な作製方法を示す。
【図１７Ｄ】概して矩形の断面を有する単一ブロックを含む縁部絶縁構造の他の例示的な作製方法を示す。
【図１８Ａ】概して矩形の断面を有する単一ブロックを含む縁部絶縁構造の他の例示的な作製方法を示す。
【図１８Ｂ】概して矩形の断面を有する単一ブロックを含む縁部絶縁構造の他の例示的な作製方法を示す。
【図１８Ｃ】概して矩形の断面を有する単一ブロックを含む縁部絶縁構造の他の例示的な作製方法を示す。
【図１８Ｄ】概して矩形の断面を有する単一ブロックを含む縁部絶縁構造の他の例示的な作製方法を示す。
【図１９Ａ】概して円形の断面を有する単一ブロックを含む縁部絶縁構造の３つの例示的な実施形態を示す。
【図１９Ｂ】概して円形の断面を有する単一ブロックを含む縁部絶縁構造の３つの例示的な実施形態を示す。
【図１９Ｃ】概して円形の断面を有する単一ブロックを含む縁部絶縁構造の３つの例示的な実施形態を示す。
【図２０Ａ】概して円形の断面を有する単一ブロックを含む縁部絶縁構造の例示的な作製方法を示す。
【図２０Ｂ】概して円形の断面を有する単一ブロックを含む縁部絶縁構造の例示的な作製方法を示す。
【図２１】二葉状断面を有する単一ブロックを含む縁部絶縁構造の例示的な実施形態を示す。
【図２２Ａ】二葉状断面を有する単一ブロックを含む縁部絶縁構造の例示的な作製方法を示す。
【図２２Ｂ】二葉状断面を有する単一ブロックを含む縁部絶縁構造の例示的な作製方法を示す。
【図２２Ｃ】二葉状断面を有する単一ブロックを含む縁部絶縁構造の例示的な作製方法を示す。
【図２３Ａ】二葉状断面を有する単一ブロックを含む縁部絶縁構造の他の例示的な作製方法を示す。
【図２３Ｂ】二葉状断面を有する単一ブロックを含む縁部絶縁構造の他の例示的な作製方法を示す。
【図２４Ａ】１つ又は２つ以上のリザーバを含む縁部絶縁構造の例示的な作製方法及び例示的な実施形態を示す。
【図２４Ｂ】１つ又は２つ以上のリザーバを含む縁部絶縁構造の例示的な作製方法及び例示的な実施形態を示す。
【図２４Ｃ】１つ又は２つ以上のリザーバを含む縁部絶縁構造の例示的な作製方法及び例示的な実施形態を示す。
【図２４Ｄ】１つ又は２つ以上のリザーバを含む縁部絶縁構造の例示的な作製方法及び例示的な実施形態を示す。
【発明を実施するための形態】
【０００８】
一部のタイプの電気ケーブルは、そのケーブルの長手方向縁部に沿って絶縁されていない。一部の場合には、電気ケーブルは、ケーブルの長手方向縁部付近に配置された、導電材料を含み得る。一部の場合には、この導電材料を含むことにより、遮蔽を提供することができる。相互接続されるデバイスの数及び速度が増加するにつれて、かかるデバイス間で信号を伝達する電気ケーブルは、より小さく、並びに許容不可能な干渉、すなわちクロストークを有することなく、より高速な信号を伝達することができる必要がある。隣接する導体により伝達される信号間の相互作用を低減するために、幾つかの電気ケーブルにおいて遮蔽が使用される。本明細書で説明されるケーブルの多くは、概して平坦な構成を有し、ケーブルの長さに沿って延在する導体セット、並びにケーブルの両面上に配置される電気遮蔽フィルムを含む。隣接する導体セット間の、遮蔽フィルムの挟み付け部分は、導体セットを互いに電気的に分離するのに役立つ。しかしながら、縁部付近に配置された、そのような導電材料、例えば、遮蔽フィルムは、その縁部で電気的接触を形成して、電気的短絡を引き起こしやすい。具体的には、ケーブル縁部は、接地とは異なる電圧を有する導電性表面と電気的に接触する際、短絡を引き起こす恐れがある。それゆえ、ケーブル上に非導電性の縁部を作り出すことが、関心の対象となる。本開示は、電気的短絡の可能性を低減するためにケーブル縁部に適用される、様々な縁部絶縁構造を目的とする。この縁部絶縁構造は、ケーブルを構築する際に、又は後の工程で、作り出すことができる。電気的短絡を防止する他に、この縁部絶縁構造はまた、水分がケーブルに浸透することも防止することができる。本開示はまた、フィルムの縁部に材料を適用するための、装置及び方法も目的とする。この同じ装置及び方法を使用して、縁部絶縁構造を作り出すことができる。
【０００９】
一部の実装では、電気ケーブルは、作製された後に、好適な幅にトリミングされる。このトリミングにより、ケーブルの縁部に沿った一部の場所で、導電材料の露出が引き起こされる場合がある。この状況では、それらの場所に絶縁構造を適用することが有益である。一部の場合には、電気ケーブルの縁部全体に沿って絶縁構造を適用する必要はない。例えば、そのような場合には、ケーブルの縁部上の幾つかの場所に、絶縁構造を適用することにより、電気的短絡の可能性を低減することができる。
【００１０】
図１は、縁部絶縁電気ケーブル１００の例示的な実施形態を示す。縁部絶縁電気ケーブル１００は、電気ケーブル１１０と、ケーブル１１０の長さ方向縁部に沿った縁部絶縁構造１２０とを含む。一部の実装では、縁部絶縁構造１２０は、絶縁材料を含み得る。この絶縁材料は、例えば、任意のタイプの誘電材料とすることができる。この誘電材料は、例えば、ＵＶ硬化性材料、熱可塑性材料などとすることができる。
【００１１】
一部の実施形態では、縁部絶縁構造は、本質的に円筒形状に、すなわち、本明細書で縁部ビードと称される形状に構築することができる。一部の実施形態では、縁部ビードは、特定の条件下で可撓性の、任意の種類の誘電材料のうちの１つによって構築することができるため、その誘電材料は、ケーブル縁部に適用することができる。例えば、縁部ビードは、感圧性接着剤、ホットメルト材料、熱硬化性材料、及び硬化性材料によって構築することができる。感圧性接着剤としては、シリコーンポリマー系、アクリレートポリマー系、天然ゴムポリマー系、及び合成ゴムポリマー系のものが挙げられる。それらは、所望の特性を提供するために、様々な材料を使用して、粘着付与、架橋、及び／又は充填することができる。ホットメルト材料は、規定の温度及び／又は圧力を超えて加熱されると、粘着性となり、基材に対して良好に接着し、この接着剤が冷却されると、基材に対する良好な結合を保持しつつ、その凝集強さが増大する。ホットメルト材料のタイプの例としては、ポリアミド、ポリウレタン、エチレンと酢酸ビニルとのコポリマー、及びより極性の高い化学種（無水マレイン酸などの）で修飾されたオレフィンポリマーが挙げられるが、これらに限定されない。熱硬化性材料は、室温で、あるいは熱及び／又は圧力の適用により、基材と密着した接触を作り出すことができる材料である。加熱することにより、その熱硬化性樹脂内で化学反応が発生し、周囲温度、準周囲温度、及び昇温状態での長期的な凝集強さを提供する。熱硬化性材料の例としては、エポキシ、シリコーン、ポリエステル、及びポリウレタンが挙げられる。硬化性材料は、熱硬化性樹脂を含み得るが、本明細書では、硬化性材料は、外部からの化学種又はエネルギーの追加の有無に関わらず、室温で硬化することができる点で区別される。例としては、２成分エポキシ及びポリエステル、１成分湿気硬化シリコーン及びポリウレタン、並びに紫外線、可視光、又は電子ビームエネルギーなどの化学線を利用して硬化させる接着剤が挙げられる。
【００１２】
一部の実施形態では、縁部絶縁構造は、本明細書では縁部フィルムと称される、ケーブルの縁部を覆う１つ又は２つ以上のフィルムの層によって、構築することができる。一部の実装では、縁部フィルムは、高分子材料の層を含み得るものであり、その高分子材料としては、ポリエステル、ポリイミド、ポリアミド−イミド、ポリテトラフルオロエチレン、ポリプロピレン、ポリエチレン、ポリフェニレンスルフィド、ポリエチレンナフタレート、ポリカーボネート、シリコーンゴム、エチレンプロピレンジエンゴム、ポリウレタン、アクリレート、シリコーン、天然ゴム、エポキシ、及び合成ゴム接着剤が挙げられるが、これらに限定されない。一部の他の実装では、縁部フィルムはまた、対象用途に関して好適な特性を提供するために、１種類又は２種類以上の添加剤及び／又は充填剤も含み得る。これらの添加剤及び充填剤は、例えば、難燃剤、ＵＶ安定剤、熱安定剤、抗酸化剤、潤滑剤、着色顔料などとすることができる。
【００１３】
一部の実施形態では、縁部絶縁構造１２０は、導電材料及び絶縁材料の双方を含み得る。導電材料は、電気ケーブル１１０に結合させることができ、その一方で、絶縁材料は、その導電材料の上に適用することができる。絶縁構造１２０は、そのケーブルの構成体の一部である材料、例えば、ケーブル内で使用される接着剤材料を、使用することができる。例示的な実施形態では、電気ケーブル１１０は、１つ又は２つ以上の導体セット１０４を含み、各導体セット１０４は、その電気ケーブルの長さに沿った１つ又は２つ以上の絶縁導体を含む。一部の実施形態では、縁部絶縁構造１２０は、電気的短絡の可能性を低減するように、電気ケーブル１１０の縁部の一部分に結合することができるが、縁部全体には結合されない。
【００１４】
電気ケーブル１１０は、ケーブルの長手方向縁部上の場所付近に配置され、ケーブル上のその場所で電気的接触しやすい、導電材料を含み得る。例えば、この導電材料は、ケーブル全体にわたって配置され、その縁部で、又は縁部付近で電気的接触を形成する潜在性がある、遮蔽フィルム１０８とすることができる。一部の実施形態では、電気ケーブル１１０は、ケーブル１１０の幅ｗの全体又は一部分に沿って互いに離間し、かつケーブル１１０の長さＬに沿って延在する、複数個の導体セット１０４を含む。ケーブル１１０は、図１に示すように、概して平面構成に配置構成することができ、又はその長さに沿った１つ又は２つ以上の場所で、折り曲げ構成へと折り曲げることもできる。一部の実装では、ケーブル１１０の一部の部分を、平面構成に配置構成することができ、ケーブルの他の部分を、折り曲げることができる。幾つかの構成において、ケーブル１１０の導体セット１０４の少なくとも１つが、ケーブル１１０の長さ、Ｌに沿って延在する２つの絶縁導体１０６を含む。この導体セット１０４の２つの絶縁導体１０６は、ケーブル１１０の長さＬの全体又は一部分に沿って、実質的に平行に配置構成することができる。絶縁導体１０６は、絶縁信号線、絶縁電源線、又は絶縁接地線を含み得る。２枚の遮蔽フィルム１０８が、ケーブル１１０の両面上に配置される。
【００１５】
第１及び第２の遮蔽フィルム１０８は、横断面で、ケーブル１１０がカバー領域１１４及び挟み付け領域１１８を含むように、配置構成される。ケーブル１１０のカバー領域１１４内では、第１及び第２の遮蔽フィルム１０８のカバー部分１０７が、横断面で、各導体セット１０４を実質的に包囲する。例えば、遮蔽フィルムのカバー部分は、いずれかの所定の導体セットの外周の、少なくとも７５％を、又は少なくとも８０％、８５％、若しくは９０％を、全体として包囲し得る。第１及び第２の遮蔽フィルムの挟み付け部分１０９は、各導体セット１０４の両側において、ケーブル１１０の挟み付け領域１１８を形成する。ケーブル１１０の挟み付け領域１１８内では、一方又は双方の遮蔽フィルム１０８が撓められて、遮蔽フィルム１０８の挟み付け部分１０９を、より近位へと接近させる。一部の構成では、図１に示すように、双方の遮蔽フィルム１０８が、挟み付け領域１１８内で撓められて、挟み付け部分１０９を、より近位へと接近させる。一部の構成では、一方の遮蔽フィルムは、ケーブルが平面構成又は折り曲げられない構成にある場合、挟み付け領域１１８内で比較的平坦なまま維持することができ、ケーブルの反対面上の他方の遮蔽フィルムを撓めることにより、その遮蔽フィルムの挟み付け部分を、より近位へと接近させることができる。
【００１６】
ケーブル１１０はまた、遮蔽フィルム１０８の間の、少なくとも挟み付け部分１０９の間に配置される、接着層１４０も含み得る。接着層１４０は、遮蔽フィルム１０８の挟み付け部分１０９を、ケーブル１１０の挟み付け領域１１８において互いに結合する。接着層１４０は、ケーブル１１０のカバー領域１１４内に存在してもよいし、存在しなくてもよい。
【００１７】
一部の場合には、導体セット１０４は、横断面で、実質的に曲線形状の包絡線又は外周を有し、遮蔽フィルム１０８は、ケーブル１１０の長さＬの少なくとも一部に沿って、好ましくは実質的に全てに沿って、その断面形状に実質的に適合して、その断面形状を維持するように、導体セット１０４の周囲に配置される。断面形状を維持することにより、導体セット１０４の設計で意図されるように、導体セット１０４の電気的特性が維持される。このことは、導体セットの周囲に導電性遮蔽体を配置することにより、その導体セットの断面形状が変化する、一部の従来の遮蔽電気ケーブルに勝る有利点である。
【００１８】
図１に示す実施形態では、各導体セット１０４は、正確に２つの絶縁導体１０６を有するが、他の実施形態においては、一部又は全ての導体セットが、１つの絶縁導体のみを含む場合があり、又は３つ以上の絶縁導体１０６を含む場合もある。例えば、図１と同様の設計の代替的な遮蔽電気ケーブルは、８つの絶縁導体１０６を有する１つの導体セット、又は、それぞれが１つの絶縁導体１０６のみを有する８つの導体セットを含み得る。導体セット及び絶縁導体の配置のこの柔軟性により、開示される遮蔽電気ケーブルを、多種多様な対象用途に関して好適な方式で構成することが可能になる。例えば、導体セット及び絶縁導体は、複数の二芯同軸ケーブル（すなわち、それぞれが絶縁導体を２つ有する複数の導体セット）、複数の同軸ケーブル（すなわち、それぞれが絶縁導体を１つのみ有する複数の導体セット）、又はこれらの組み合わせを形成するように構成され得る。幾つかの実施形態において、導体セットは、１つ又は２つ以上の絶縁導体の周辺に配置される導電性遮蔽体（図示せず）、及び導電性遮蔽体の周辺に配置される絶縁ジャケット（図示せず）を更に含んでもよい。
【００１９】
図１に示す実施形態では、遮蔽電気ケーブル１１０は、任意選択的な接地導体１１２を更に含む。接地導体１１２は、接地線又はドレイン線を含み得る。接地導体１１２は、絶縁導体１０６から離間して、絶縁導体１０６と実質的に同じ方向で延在することができる。遮蔽フィルム１０８を、接地導体１１２の周囲に配置することができる。接着層１４０は、接地導体１１２の両側上の挟み付け部分１０９内で、遮蔽フィルム１０８を互いに結合することができる。接地導体１１２は遮蔽フィルム１０８の少なくとも１つと電気的に接触してもよい。幾つかの例示的な電気ケーブル構成体が、「Ｓｈｉｅｌｄｅｄ  Ｅｌｅｃｔｒｉｃａｌ  Ｃａｂｌｅ」と題される米国特許出願公開第２０１２−００９０８７３号、及び「Ｈｉｇｈ  Ｄｅｎｓｉｔｙ  Ｓｈｉｅｌｄｅｄ  Ｅｌｅｃｔｒｉｃａｌ  Ｃａｂｌｅ  ａｎｄ  Ｏｔｈｅｒ  Ｓｈｉｅｌｄｅｄ  Ｃａｂｌｅｓ，Ｓｙｓｔｅｍｓ  ａｎｄ  Ｍｅｔｈｏｄｓ」と題される国際公開第２０１２／０３０３６５号で詳細に論じられており、その全体が参照により本明細書に組み込まれる。
【００２０】
図２は、縁部絶縁構造２００の例示的な実施形態の断面図である。例示的な実施形態では、縁部絶縁構造２００は、絶縁材料２５０を含む。絶縁材料２５０は、絶縁を提供し、かつ縁部に近接するケーブルの部分に結合させることが可能な、任意のタイプの材料とすることができる。例えば、絶縁材料は、ビード様形状を有する縁部絶縁構造を形成することができる。絶縁材料２５０は、ケーブルの縁部に結合され、このケーブルは、例えば、誘電体フィルム２１０、接着層２２０、遮蔽フィルム２３０（すなわち、金属）、及び誘電体層２４０（すなわち、ホットメルト接着剤）の層を含む。
【００２１】
遮蔽フィルム２３０は、様々な構成を有し、様々な方法で作製することができる。一部の場合には、１つ又は２つ以上の遮蔽フィルムは、導電性層及び非導電性高分子層を含み得る。導電性層は、銅、銀、アルミニウム、金、及びこれらの合金を含むが、これらに限定されない任意の好適な導電材料を含んでもよい。非導電性高分子層は、任意の好適な高分子材料を含み得るものであり、それらの高分子材料としては、ポリエステル、ポリイミド、ポリアミド−イミド、ポリテトラフルオロエチレン、ポリプロピレン、ポリエチレン、ポリフェニレンスルフィド、ポリエチレンナフタレート、ポリカーボネート、シリコーンゴム、エチレンプロピレンジエンゴム、ポリウレタン、アクリレート、シリコーン、天然ゴム、エポキシ、及び合成ゴム接着剤が挙げられるが、これらに限定されない。非導電性高分子層は、対象用途に関して好適な特性を提供するために、１種類又は２種類以上の添加剤及び／又は充填剤を含み得る。一部の場合には、少なくとも一方の遮蔽フィルムは、導電性層と非導電性高分子層との間に配置される、積層接着層を含み得る。非導電性層上に配置された導電性層を有する遮蔽フィルム、又は導電性の一方の主要外表面と、実質的に非導電性の反対側主要外表面とを、別の方式で有する遮蔽フィルムに関しては、その遮蔽フィルムは、必要に応じて幾つかの異なる配向で、遮蔽ケーブル内に組み込むことができる。一部の場合には、例えば、導電性表面が、絶縁線の導体セット及び接地線に向かい合っていてもよく、一部の場合には、非導電性表面が、それらの構成要素に向かい合っていてもよい。２つの遮蔽フィルムが、ケーブルの両面上に使用される場合には、それらのフィルムは、それらの導電性表面が互いに向かい合い、それぞれが導体セット及び接地線に向かい合うように配向することができ、あるいはそれらのフィルムは、それらの非導電性表面が互いに向かい合い、それぞれが導体セット及び接地線に向かい合うように配向することができ、あるいはそれらのフィルムは、一方の遮蔽フィルムの導電性表面が、導体セット及び接地線に向かい合うが、ケーブルの他方の面からは、他方の遮蔽フィルムの非導電性表面が、導体セット及び接地線に向かい合うように配向することができる。
【００２２】
一部の場合には、少なくとも一方の遮蔽フィルムは、柔軟な又は可撓性の金属箔などの、単独型の導電性フィルムであってもよいし、又はその単独型の導電性フィルムを含んでいてもよい。この遮蔽フィルムの構成体は、例えば、遮蔽電気ケーブルの可撓性、電気的性能、及び構成（例えば、接地導体の存在及び場所などの）などの、対象用途に関して好適な幾つかの設計パラメータに基づいて、選択することができる。一部の場合には、遮蔽フィルムは一体形成された構成体を有してもよい。一部の場合には、遮蔽フィルムは、０．０１ｍｍ〜０．０５ｍｍの範囲内の厚さを有していてもよい。遮蔽フィルムは、所望により導体セット間の離間距離、遮蔽、及び正確な間隔を提供し、かつより自動化され、より低コストのケーブル製造プロセスを可能にする。更には、遮蔽フィルムは、高い信号減衰が特定の周波数範囲で発生する、「信号のサックアウト」、すなわち共振として知られる現象を防止する。この現象は、典型的には、導電性遮蔽体が導体セットの周りに巻き付けられる、従来の遮蔽電気ケーブル内で発生する。
【００２３】
本明細書の他の部分で論じられるように、ケーブル構成体内で接着剤材料を使用して、ケーブルのカバー領域で、１つ又は２つの遮蔽フィルムを、１つ、一部、若しくは全ての導体セットに結合することができ、及び／又は接着剤材料を使用して、ケーブルの挟み付け領域で、２つの遮蔽フィルムを一体に結合することができる。接着剤材料の層は、少なくとも１つの遮蔽フィルム上に配置されてもよく、２つの遮蔽フィルムがケーブルの両側で使用される場合においては、接着剤材料の層は、両方の遮蔽フィルム上に配置されてもよい。後者の場合において、一方の遮蔽フィルム上で使用される接着剤は、他方の遮蔽フィルム上に使用される接着剤と同じであることが好ましいが、必要に応じてこれと異なっていてもよい。所定の接着層は、電気的絶縁性の接着剤を含み得、２つの遮蔽フィルムの間に絶縁性結合を提供することができる。更には、所定の接着層は、少なくとも一方の遮蔽フィルムと、１つ、一部、若しくは全ての導体セットの、絶縁導体との間、及び少なくとも一方の遮蔽フィルムと、１つ、一部、若しくは全ての接地導体（存在する場合）との間に、絶縁性結合を提供することができる。あるいは、所定の接着層は、導電性の接着剤を含み得、２つの遮蔽フィルムの間に導電性結合を提供することができる。更には、所定の接着層は、少なくとも一方の遮蔽フィルムと、１つ、一部、若しくは全ての接地導体（存在する場合）との間に、導電性結合を提供することができる。好適な導電性接着剤は、電流の流れを提供するための導電性粒子を含む。導電性粒子は、球体、フレーク、ロッド、立方体、非晶質、又は他の粒子形状などの、現在使用されている粒子のタイプのいずれかとすることができる。それらの導電性粒子は、カーボンブラック、カーボンファイバー、ニッケル球体、ニッケルコーティングされた銅球体、金属コーティングされた酸化物、金属コーティングされた高分子繊維、又は他の同様の導電性粒子などの、固体若しくは実質的に固体の粒子とすることができる。これらの導電性粒子は、銀、アルミニウム、ニッケル、又は酸化インジウムスズなどの導電材料でメッキ若しくはコーティングされる、電気絶縁材料から作製することができる。金属コーティングされた絶縁材料は、中空のガラス球体などの、実質的に中空の粒子とすることができ、又はガラスビーズ若しくは金属酸化物などの、中実材料を含み得る。導電性粒子は、カーボンナノチューブなどの、約数十マイクロメートルからナノメートルサイズの材料とすることができる。好適な導電性接着剤はまた、導電性高分子マトリックスも含み得る。
【００２４】
所与のケーブル構成体で使用されるとき、接着層は好ましくは、ケーブルの他の要素に対して、実質的に適合性のある形状を有し、ケーブルの曲げ動作に対して適合性がある。一部の場合には、所与の接着層は実質的に連続的であってもよく、例えば、所与の遮蔽フィルムの所与の主表面の実質的な全体長さ及び幅に沿って延在してもよい。一部の場合には、接着層は、実質的に非連続的であってよい。例えば、接着層は、所定の遮蔽フィルムの長さ又は幅に沿った、一部の部分内にのみ存在することができる。不連続接着層は、例えば複数の長手方向の接着ストライプを含み得、この接着ストライプは、例えば、各導体セットの対向する側の遮蔽フィルムの挟み付け部分間、及び接地導体（存在する場合）の側方の遮蔽フィルム間に配置される。所与の接着剤材料は、感圧接着剤、ホットメルト接着剤、熱硬化性接着剤、及び硬化性接着剤の少なくとも１つであるか、又はこれを含んでもよい。接着層は、１つ又は２つ以上の絶縁導体と遮蔽フィルムとの間の結合部よりも実質的に強い、遮蔽フィルム間の結合部を提供するように構成されてもよい。これは、例えば、接着剤の配合物の適切な選択によって達成することができる。この接着剤構成の有利点は、遮蔽フィルムを、絶縁導体の絶縁体から容易にストリッピングすることが可能になる点である。他の場合において、接着層は、実質的に同等の強度である、遮蔽フィルムの間の結合部、及び１つ又は２つ以上の絶縁導体と遮蔽フィルムとの間の結合部を提供するように構成されてもよい。この接着剤構成の有利点は、絶縁導体が、遮蔽フィルム間に固定される点であるこの構成体を有する遮蔽電気ケーブルが屈曲される場合、このことにより、相対運動を小さくすることが可能になり、それゆえ、遮蔽フィルムが座屈する可能性が低減される。好適な結合強度は、対象用途に基づいて選択することができる。一部の場合には、約０．１３ｍｍ未満の厚さを有する、適合性のある接着層を使用してもよい。例示的な実施形態において、接着層は、約０．０５ｍｍ未満の厚さを有する。
【００２５】
所与の接着層は、遮蔽電気ケーブルの所望の機械的及び電気的性能特性を達成するように適合してもよい。例えば、接着層は、導体セット間の区域内の、遮蔽フィルム間で、より薄くなるように適合することができ、このことは、遮蔽ケーブルの、少なくとも横方向の可撓性を増大させる。このことにより、遮蔽ケーブルを、より容易に、曲線状の外側ジャケット内に定置することが可能になり得る。一部の場合には、接着層は、導体セットに直接隣接する区域内で、より厚くなるように適合し、その導体セットに実質的に適合することができる。このことにより、これらの区域内で、機械的強度が増大し、遮蔽フィルムの曲線形状の形成を可能にすることができ、このことは、例えばケーブルを屈曲させる間の、遮蔽ケーブルの耐久性を増大させることができる。更には、このことは、遮蔽ケーブルの長さに沿って、遮蔽フィルムに対する絶縁導体の位置及び間隔を維持するために役立つことができ、このことは、遮蔽ケーブルの、より均一なインピーダンス、及びより優れた信号保全性をもたらし得る。
【００２６】
所与の接着層は、例えば、ケーブルの挟み付け領域における導体セット間の領域において、遮蔽フィルム間で有効に、部分的又は完全に取り除かれるように適合することができる。結果として、遮蔽フィルムは、これらの領域において互いに電気的に接触することができ、これはケーブルの電気性能を増加させ得る。一部の場合には、接着層は、有効に、少なくとも一方の遮蔽フィルムと接地導体との間で、部分的に、又は完全に除去されるように、適合することができる。結果として、接地導体は、これらの領域における遮蔽フィルムの少なくとも１つと電気的に接触してもよく、これはケーブルの電気的性能を向上させることができる。接着剤の薄い層が、遮蔽フィルム及び所与の接地導体の少なくとも一方の間に残る場合であっても、接地導体のアスペリティが薄い接着層を打ち破り、意図される電気的接触を生成する。
【００２７】
縁部絶縁構造は、様々な形態、例えば、縁部ビード、絶縁フィルム、及び縁部の折り曲げの形態を呈することができる。図３Ａ〜３Ｅは、電気ケーブル３００及び縁部ビード３１０を含む、本開示の態様による縁部ビードの幾つかの例示的な実施形態の、断面図を示す。ケーブル３００は、複数の層を含み得る。一部の場合には、これらの複数の層のうちの１つは、導電性とすることができる。本明細書で使用するとき、縁部ビードとは、縁部に塊部を有する、縁部絶縁構造を指す。一部の構成では、この縁部の塊部は、断面が本質的に円形のものとすることができる。一部の構成では、縁部ビードは、より良好な支持を提供するための、ケーブルの上面及び／又は下面に結合される部分を含み得る。縁部ビード３１０は、１種類又は２種類以上の縁部ビード材料を含む。縁部ビード材料は、典型的には、特定の条件下で剛性ではない誘電材料を含むため、ケーブル３００の縁部に、その誘電材料を、縁部の形状に適合させて適用することができる。一部の実施形態では、縁部ビード材料は、熱可塑性化合物、又は硬化性化合物、例えば、ＵＶ硬化性、３ビーム、若しくは空気硬化性の化合物を含む。一部の場合には、縁部ビード材料は、接着剤材料を含み得ることにより、この接着剤材料を介して、電気ケーブル３００に誘電材料を結合する。一部の場合には、縁部ビード材料は、その絶縁構造に防護を提供するための、コーティング材料を含み得る。一部の実装では、誘電材料は、電気ケーブルの縁部に、液体形態（すなわち、融解物、溶液など）で適用される。縁部ビードを構築する方法が、以下で更に論じられる。
【００２８】
図３Ａは、ケーブル３００の縁部のみを覆う、縁部ビード３１０の例示的な実施形態を示す。縁部ビード３１０は、例えば、縁部を覆う半円又は円の一部の、断面形状を有し得る。一部の場合には、この材料が、ケーブルの上面及び下面の少なくとも一方、並びに縁部に適用される場合、ケーブル３００に対する、より強固な縁部ビード３１０の結合を得ることができる。図３Ｂは、ケーブル３００の縁部、並びに上面及び下面の一部分を覆う、縁部ビード３１０の例示的な実施形態を示す。断面図では、この縁部ビードは、概して円形のものとすることができる。図３Ｃは、縁部、並びに縁部付近のケーブルの上面及び下面の双方の部分を覆う、縁部ビード３１０の別の例示的な実施形態を示す。この実施形態では、縁部ビード３１０は、その厚さよりも大きい、上面及び下面の諸部分を覆う幅を有し得る。図３Ｄは、一方の表面上で、ケーブル３００の反対表面上の区域よりも大きい区域を覆う、縁部ビード３１０の更なる例示的な実施形態を示す。
【００２９】
一部の実施形態では、縁部ビード３１０は、少なくとも部分的に、電気ケーブル３００内で使用される誘電材料によって形成することができる。図３Ｄに示すように、ケーブル３００は、誘電体層３２０を含む複数の層を有し得る。誘電体層３２０は、誘電材料３２５を収容していてもよい。誘電材料３２５は、例えば、遮蔽フィルム（すなわち、図２の２３０）を結合するために使用される、熱可塑性材料又はホットメルト材料とすることができる。特定の実施形態では、誘電材料３２５は、条件変化に晒されると、ケーブル内の別の場所に移行するように、適合させることができる。例えば、誘電材料３２５は、圧力下にある場合、別の場所に移動することができる。別の例では、誘電材料３２５は、加熱される場合、流動性になることができる。一部の場合には、縁部絶縁構造は、縁部付近から縁部の外側に、誘電材料３２５を押し出すことによって形成することができる。一部の構成では、誘電材料３２５は、電気ケーブル３００に結合させることができる、任意の種類の接着剤材料である。縁部ビード３１０は、誘電材料３２５によって形成することができる。一部の他の構成では、電気ケーブル３００の縁部部分は、ケーブル３００から誘電材料３２５を押し出す前に、接着剤材料でコーティングされる。更に別の構成では、ケーブル３００の縁部に誘電材料３２５を適用した後に、誘電材料３２５の上に別の材料を適用することにより、例えば誘電材料３２５を覆うための、支持及び／又は防護を提供することができる。
【００３０】
一部の実施形態では、電気ケーブルは、図４に示すように、電気ケーブルに沿って、第１の側方位置で長さ方向に延在する、リザーバ又はポケットを含み得る。このリザーバは、ケーブル内の第１の側方位置とは異なる、ケーブル内の第２の側方位置へと移行されるように適合された誘電材料を収容するように、構成することができる。縁部絶縁構造は、この誘電材料をケーブルの外縁部へと移行させることによって、形成することができる。図４は、ケーブルに沿って長さ方向に延在するリザーバ４２０を有する、電気ケーブル４００の例示的な実施形態の断面図である。リザーバ４２０は、ケーブル内の幅方向に沿った隣接区域４３０よりも、大きい容積を有し得る。リザーバ４２０は、ケーブルの第２の場所へと移行されるように適合された誘電材料４２５を格納することができる。一部の構成では、リザーバ４２０は、特定の条件下で流動性である誘電材料４２５を、収容することができる。例えば、誘電材料４２５は、熱が加えられた後に、流動性になることができる。
【００３１】
一部の実施形態では、誘電材料は、リザーバが押し出されるか、圧迫されるか、圧搾される場合に、又は他の機械的手法によって、第２の側方位置へと移行させることができる。一部の場合には、誘電材料は、リザーバが加熱される場合に、第２の側方位置へと移行させることができる。リザーバ内の誘電材料は、電気ケーブルの縁部へと流動して、縁部ビードを形成することができる。図５は、電気ケーブル５００のリザーバ５２０内に配置された誘電材料５２５によって形成される、縁部ビード５１０の例示的な実施形態を示す。一部の構成では、電気ケーブル５００の長手方向縁部の少なくとも一部分は、誘電材料５２５が、ケーブル５００から、例えば図４に示すようなリザーバ４２０から押し出される前に、接着剤の層でコーティングされる。
【００３２】
図６Ａ〜６Ｅは、縁部フィルム内の縁部絶縁構造の、幾つかの例示的な実施形態を示す。一部の実施形態では、これらの縁部フィルムは、典型的には、電気ケーブルの長手方向縁部付近の領域に適用される。この縁部フィルムは、任意の好適な高分子材料のものとすることができ、それらの高分子材料としては、ポリエステル、ポリイミド、ポリアミド−イミド、ポリテトラフルオロエチレン、ポリプロピレン、ポリエチレン、ポリフェニレンスルフィド、ポリエチレンナフタレート、ポリカーボネート、シリコーンゴム、エチレンプロピレンジエンゴム、ポリウレタン、アクリレート、シリコーン、天然ゴム、エポキシ、及び合成ゴム接着剤が挙げられるが、それらに限定されない。更には、この縁部フィルムは、対象用途に関して好適な特性を提供するために、１種類又は２種類以上の添加剤及び／又は充填剤を含み得る。
【００３３】
図６Ａ及び図６Ｂは、電気ケーブル６００の周囲で折り曲げられる、縁部フィルム６１０の実施形態を示す。一部の他の実施形態では、電気ケーブル６００は、電気ケーブル６００の縁部に配置された導電性層を含む、複数の層を有し得る。そのような導電性層は、ケーブル６００の縁部での電気的接触の可能性を増大させる恐れがある。縁部フィルム６１０は、１種類又は２種類以上の材料の層を含み得る。例示的な実施形態では、縁部フィルム６１０は、接着剤材料の層６２０、及び裏地層６３０を含み得る。別の実施形態では、縁部フィルム６１０は、ケーブル６００に結合される材料の単一層を含み得る。更に別の例示的な実施形態では、縁部フィルム６１０は、導電性層及び誘電体層を含み得、導電性層は、遮蔽を提供することができ、誘電体層は、電気的短絡の可能性を低減することができる。更なる他の例示的な実施形態では、縁部フィルム６１０は、複数の層、例えば、導電性層、誘電材料の層、及び裏地層を含み得る。
【００３４】
図６Ｃ及び図６Ｄは、縁部フィルムを有する縁部絶縁電気ケーブル６５０の、別の実施形態を示す。縁部絶縁構造は、例えば任意の機械的手段、接着手段、若しくは化学的手段によって一体に結合される、上方縁部フィルム６６０及び下方縁部フィルム６７０によって形成される。例示的な実施形態では、縁部フィルム６６０及び縁部フィルム６７０は、誘電材料の層６９０の層を含み得る。任意選択的に、縁部フィルム６６０及び縁部フィルム６７０の少なくとも一方は、接着剤材料の層６８０を含み得る。一部の場合には、縁部フィルム６６０及び縁部フィルム６７０の双方が、接着剤材料の層６８０を含み得る。そのような構成では、縁部フィルム６６０及び縁部フィルム６７０は、接着層６８０によって一体に結合させることができる。一部の場合には、一方の縁部フィルムのみが、接着層６８０を含む。例えば、上方縁部フィルム６６０が接着層６８０を含み、下方縁部フィルム６７０は接着層を含まない。上方縁部フィルムと下方縁部フィルム６７０とは、その接着層６８０によって結合させることができる。別の実施形態では、縁部フィルム６１０は、ケーブル６００に結合することができる、誘電材料６９０の単一層を含み得る。この材料の単一層は、例えば、硬化性化合物の層とすることができる。更に他の場合には、縁部フィルム６６０及び縁部フィルム６７０は、複数の層、例えば、導電性層、誘電材料の層、及び裏地層を含み得る。
【００３５】
図６Ｅは、図６Ｄに示す実施形態と同様に構築された縁部フィルムを有する、縁部絶縁ケーブル６５０の別の例示的な実施形態を示す。例示的な実施形態では、縁部フィルム６６０及び縁部フィルム６７０の少なくとも一方は、ケーブル６５０のケーブル表面全体を覆い、そのケーブルの両側で、長さ方向に沿って絶縁構造を形成することができる。
【００３６】
図７Ａ〜７Ｐは、折り曲げによって形成される縁部絶縁構造の、幾つかの例示的な実施形態を示す。電気ケーブル７００は、長手方向縁部付近の場所に配置された導電材料を有し、その縁部で電気的接触を形成しやすい。一部の実施形態では、電気ケーブル７００は、ケーブルの長さに沿って折り曲げられる。このケーブルの折り目が、ケーブルの第１部分及びケーブルの第２部分を画定し、このケーブルの第２部分は、そのケーブルの長手方向縁部を含む。縁部絶縁構造は、結合材料が、ケーブルの長さに沿って、第１部分に第２部分を結合することによって形成される。
【００３７】
図７Ａは、折り曲げによって構築される縁部絶縁構造７１０の、例示的な実施形態を示す。この実施形態では、電気ケーブル７００は、長さ方向の線７１５に沿って折り曲げられる。電気ケーブル７００は、典型的には、上面及び下面の双方の最外層として、誘電材料層を有する。ケーブル７００は、線７１５によって区切られる２つの部分である、第１部分７０５及び第２部分７０７を有する。第２部分７０７は、ケーブル７００の長手方向縁部を含む。第２部分７０７を、第１部分７０５の上に折り曲げ、任意の結合手段によって、例えば、接着剤材料、ホットメルト材料などによって、第１部分７０５に結合することができる。それゆえ、縁部絶縁構造７１０は、誘電材料層がケーブル７００の縁部を覆うことによって形成される。
【００３８】
図７Ｂは、折り曲げによって構築される縁部絶縁構造７１０の、別の例示的な実施形態を示す。この実施形態では、電気ケーブル７００は、長さ方向の線７１５に沿って折り曲げられる。ケーブル７００は、線７１５によって区切られる２つの部分である、第１部分７０５及び第２部分７０７を有する。第２部分７０７は、ケーブル７００の長手方向縁部を含む。第２部分７０７を、第１部分７０５の上に折り曲げ、任意の結合手段によって、例えば、接着剤材料、ホットメルト材料などによって、第１部分７０５に結合することができる。例示的な実施形態では、ケーブル７００の縁部は、縁部ビード７２０によって更に覆うことができる。縁部ビード７２０は、上述の１つ又は２つ以上の縁部ビード材料によって構築することができる。それゆえ、縁部絶縁構造７１０が形成される。
【００３９】
図７Ｃは、折り曲げによって構築される縁部絶縁構造７１０の、更に別の例示的な実施形態を示す。この実施形態では、電気ケーブル７００は、長さ方向の線７１５に沿って折り曲げられる。この折り目が、第１部分７０５及び第２部分７０７を画定する。第２部分７０７は、ケーブル７００の長手方向縁部を含む。第２部分７０７を、第１部分７０５の上に折り曲げ、任意の結合手段によって、例えば、接着剤材料、ホットメルト材料などによって、第１部分７０５に結合することができる。ケーブル７００の縁部は、縁部ビード７２０によって更に覆うことができる。縁部ビード７２０は、誘電材料７３０を含み得る。誘電材料７３０は、ケーブル７００の構成体内で使用することができる。誘電材料７３０は、ケーブルから押し出されることにより、そのケーブルの縁部を覆うことができる。それゆえ、縁部絶縁構造７１０が形成される。
【００４０】
一実施形態では、電気ケーブル７００は、図７Ｄ及び図７Ｅに示すように、リザーバ７４０で折り曲げられる。この実施形態では、電気ケーブル７００は、リザーバ７４０で分離される（すなわち、切断されるなど）。例示的な実施形態では、電気ケーブル７００は、リザーバ７４０を横断する線７５０に沿って分離することができる。リザーバ７４０は、この切断線７５０に沿った２つのフィルムの部分である、下部フィルム７６０及び上部フィルム７６５を含む。下部フィルム７６０は、典型的には、外層として絶縁層７７０を含む。次に、リザーバ７４０の下部フィルム７６０を、ケーブル７００の長手方向縁部の周囲で巻き付けることができる。図７Ｅに示すように、下部フィルム７６０がケーブル７００の長手方向縁部の周囲で巻き付けられた後、絶縁層７７０は、ケーブル７００の長手方向縁部を覆う外層になることにより、その縁部に絶縁を提供する。一部の実施形態では、下部フィルム７６０は、絶縁層７７０の内側に、導電材料層７８０を含む。そのような実装では、下部フィルム７６０が折り曲げられる場合、導電材料層７８０は、遮蔽を提供することができ、絶縁層７７０は、最外層として残存して絶縁を提供する。下部フィルム７６０は、接着剤又は他の結合材料によって、ケーブル７００の上面７９０に結合されることにより、縁部絶縁構造７１０を形成することができる。一部の場合には、接着剤又は結合材料は、リザーバ７４０の内側に配置することができる。一部の実装では、元のリザーバ７４０の残留材料を収容する、より小さい空洞部７９５を、この折り曲げによって形成することができる。一部の他の実装では、この折り曲げ構造は、空洞部を有さない、平坦なものとすることができる。一部の実装では、リザーバ７４０は、絶縁層７７０を含み得る。ケーブル７００は、ケーブルの長さに沿って、このリザーバで切断することができ、その切断により、ケーブルの長手方向縁部が露出する。ケーブルと共に残存する、リザーバの絶縁層７７０の一部分を、ケーブル７００の長手方向縁部の周囲で巻き付けることにより、縁部絶縁構造を形成することができる。
【００４１】
図７Ｆ及び図７Ｇは、折り曲げによって形成される縁部絶縁構造７１０の、一部の他の実施形態を示す。図７Ｆを参照すると、電気ケーブル７００が折り曲げられ、その折り目が、第１部分７０５及び第２部分７０７を画定する。第２部分７０７は、ケーブル７００の長手方向縁部を含む。一部の場合には、ケーブル７００は、この縁部付近の場所に配置され、その場所で電気的接触を形成しやすい、導電材料を含み得る。第２部分７０７を、第１部分７０５に向けて、ケーブルの長さに沿って折り曲げ、任意の結合手段によって、例えば、接着剤材料、ホットメルト材料などによって、第１部分７０５に結合することができる。第２部分７０７は、第１層７０８及び第２層７０９を有し得る。一部の実装では、第２層７０９は、第１層７０８よりも短くなるように、切断又はトリミングされる。第２層７０９が、第１層７０８によって覆われることにより、縁部絶縁構造７１０が形成される。
【００４２】
図７Ｇは、図７Ｆに示すものと同様の実装を示し、縁部絶縁構造７１０は、第２部分７０７が、第１部分７０５の上に折り曲げられ、次いで第１層７０８が、第２部分７０７内で第２層７０９を覆うことによって形成される。一部の実施形態では、第１層７０８の縁部に、縁部ビード７２０を適用することにより、縁部絶縁構造７１０を完成させることができる。縁部ビード７２０は、上述の１つ又は２つ以上の縁部ビード材料によって構築することができる。一部の実装では、縁部ビード７２０は、ケーブル構成体内で使用される材料によって構築することができる。
【００４３】
図７Ｈ〜７Ｐは、電気ケーブル７００の特定の層を折り曲げることによって形成される、縁部絶縁構造７１０の幾つかの実施形態を示す。一部の実施形態では、電気ケーブル７００は、第１層７０８及び第２層７０９を有し、この第２層は、第２層の長手方向縁部付近に配置され、その縁部で電気的接触を形成しやすい、導電材料を有する。ケーブルの第２層７０９は、第１層７０８に向けて、ケーブルの長さに沿って折り曲げられ、その折り目が、第２層の第１部分７１１と、第２層の長手方向縁部を含む、第２層の第２部分７１２とを画定する。縁部絶縁構造は、結合材料が、ケーブルの長さに沿って、第２層の第２部分７１２に、第２層の第２部分７１２を結合することによって、形成される。
【００４４】
図７Ｈ及び図７Ｉは、折り曲げによって形成される縁部絶縁構造の、例示的な実施形態を示す。図７Ｈを参照すると、電気ケーブル７００は、第１層７０８及び第２層７０９を含む。第２層７０９は、第２層の長手方向縁部付近に配置され、その縁部で電気的接触を形成しやすい、導電材料を有し得る。図７Ｉを参照すると、第２層７０９は、第１層７０８に向けて、ケーブルの長さに沿って折り曲げられ、その折り目が、第２層７０９の第１部分７１１、及び第２層７０９の第２部分７１２を画定する。第２部分７１２は、第２層７０９の長手方向縁部を含み得る。縁部絶縁構造７１０は、結合材料によって、ケーブルの長さに沿って、第２層の第１部分７１１に、第２層の第２部分７１２を結合することによって、形成される。
【００４５】
図７Ｊは、図７Ｉに示すものと同様の実施形態を示す。一部の実施形態では、図７Ｉに示す折り曲げに加えて、第１層７０８、及び第２層７０９の第１部分７１１に、縁部ビード７２０を適用することにより、縁部絶縁構造７１０を完成させることができる。縁部ビード７２０は、上述の１つ又は２つ以上の縁部ビード材料によって構築することができる。一部の実装では、縁部ビード７２０は、ケーブル構成体内で使用される材料によって構築することができる。
【００４６】
図７Ｋは、折り曲げによって形成される縁部絶縁構造７１０の、一実施形態を示す。電気ケーブル７００は、第１層７０８及び第２層７０９を含む。第１層７０８は、より短い長さを有するようにトリミングされる。第２層７０９は、第１層７０８に向けて、ケーブルの長さに沿って折り曲げられ、その折り目が、第２層７０９の第１部分７１１、及び第２層７０９の第２部分７１２を画定する。第２層の第２部分７１２は、第２層７０９の長手方向縁部を含み得る。第２層の第２部分７１２は、第１層７０８に向けて、ケーブルの長さに沿って更に折り曲げられ、その折り目が、第２層の第３部分７１３及び第４部分７１４を画定する。縁部絶縁構造７１０は、結合材料が、ケーブルの長さに沿って、第２層の第３部分７１３に、第２層の第４部分７１４を結合することによって、形成される。
【００４７】
図７Ｌは、図７Ｋに示すものと同様の実施形態を示す。一部の実施形態では、図７Ｋに示す折り曲げに加えて、第１層７０８、及び第２層７０９の第４部分７１４に、縁部ビード７２０を適用することにより、縁部絶縁構造７１０を完成させることができる。縁部ビード７２０は、上述の１つ又は２つ以上の縁部ビード材料によって構築することができる。一部の実装では、縁部ビード７２０は、ケーブル構成体内で使用される材料によって形成することができる。
【００４８】
図７Ｍ及び図７Ｎは、折り曲げによって縁部絶縁構造を構築する実施形態を示す。図７Ｍを参照すると、電気ケーブル７００は、第１層７０８及び第２層７０９を含み得る。電気ケーブル７００は、典型的には、誘電性の最外層を有する。第１層７０８及び第２層７０９の双方を、それぞれ他方の層に向けて折り曲げることができる。図７Ｎを参照すると、第２層７０９は、第１層７０８に向けて、ケーブルの長さに沿って折り曲げることができ、その折り目が、第２層７０９の第１部分７１１、及び第２層７０９の第２部分７１２を画定する。第２層７０９の第２部分７１２は、第２層７０９の長手方向縁部を含み得る。結合材料によって、ケーブルの長さに沿って、第２層の第２部分７１２を、第２層の第１部分７１１に結合させることができる。第１層７０８は、第２層７０９に向けて、ケーブルの長さに沿って折り曲げることができ、その折り目が、第１層７０８の第１部分７１７、及び第１層７０８の第２部分７１６を画定する。第１層７０８の第２部分７１６は、第１層７０８の長手方向縁部を含み得る。結合材料によって、ケーブルの長さに沿って、第１層７０８の第２部分７１６を、第１層７０８の第１部分７１７に結合させることができる。それゆえ、典型的には誘電材料である、ケーブル７００の最外層が縁部を覆う、縁部絶縁構造７１０が形成される。任意選択的に、一部の実装では、第２層７０９の第２部分７１２と第１層７０８の第２部分７１６とを、結合材料７２２によって結合することができる。一部の場合には、結合材料７２２を、ケーブル構成体内で使用することができ、そのケーブルから、結合材料７２２が押し出される。
【００４９】
図７Ｏ及び図７Ｐは、折り曲げによって縁部絶縁構造を構築する、他の２つの実施形態を示す。図７Ｏ及び図７Ｐを参照すると、電気ケーブル７００は、第１層７０８及び第２層７０９を含み得る。電気ケーブル７００は、典型的には、誘電性の最外層を有する。第１層７０８及び第２層７０９の双方を、それぞれ他方の層に向けて折り曲げることができる。第２層７０９は、第１層７０８に向けて、ケーブルの長さに沿って折り曲げることができ、その折り目が、第２層７０９の第１部分７１１、及び第２層７０９の第２部分７１２を画定する。第２層７０９の第２部分７１２は、第２層７０９の長手方向縁部を含み得る。結合材料によって、ケーブルの長さに沿って、第２層の第２部分７１２を、第２層の第１部分７１１に結合させることができる。任意選択的に、第１層７０８は、第２層７０９に向けて、ケーブルの長さに沿って折り曲げることができ、その折り目が、第１層７０８の第１部分７１７、及び第１層７０８の第２部分７１６を画定する。第１層７０８の第２部分７１６は、第１層７０８の長手方向縁部を含み得る。結合材料によって、ケーブルの長さに沿って、第１層７０８の第２部分７１６を、第１層７０８の第１部分７１７に結合させることができる。それゆえ、典型的には誘電材料である、ケーブル７００の最外層が縁部を覆う、縁部絶縁構造７１０が形成される。
【００５０】
図７Ｏは、第１層７０８が第２層７０９よりも短くトリミングされる、例示的実装を示す。この実施形態では、第１層７０８の第２部分７１６を、第２層７０９の第１部分７１１に結合することにより、縁部絶縁構造７１０を形成することができる。図７Ｐは、第２層７０９が、ケーブル７００の長さ方向に沿って、第１層７０８よりも短くトリミングされる、例示的実装を示す。この実施形態では、第２層７０９の第２部分７１２を、第１層７０８の第１部分７１７に結合することにより、縁部絶縁構造７１０を形成することができる。
【００５１】
ホットメルトダイ装置
一部の実施形態では、縁部ビードは、図８に示すような、ダイアセンブリによって構築することができる。ダイアセンブリはまた、フィルムの縁部に材料を適用するために使用することもできる。一部の実施形態では、ダイアセンブリは、ダイチップを通じて材料を分配するように構成される、ダイを含み得る。一部の実装では、フィルムの縁部が、ダイチップに近接して位置決めされ、そのフィルムの縁部に近接してフィルムの縁部に沿って、フィルムの上面及び下面の少なくとも一方に、ダイが材料を分配する。それゆえ、分配された材料は、フィルム上にコーティング領域を形成することができ、そのコーティング領域は、フィルムの縁部付近に限定される。
【００５２】
図８は、ダイアセンブリ８００の例示的な実施形態を示す。一部の実施形態では、ダイアセンブリ８００は、一体式機械部品としてのダイチップ８１０を有する。一部の実施形態では、ダイチップ８１０は、上部ダイリップ８２０及び下部ダイリップ８４０を含み得る。任意選択的に、ダイチップ８１０は、ダイインサート８３０、並びにダイインサート８３０とダイリップ８２０及びダイリップ８４０とを組み付けるための機械的手段８５０を含み得る。一部の実装では、任意選択的に、方向８７０に沿って材料が流れることを可能にするための、ダイ供給チャネル８６０を、ダイチップ８１０内に挿入することができる。ダイアセンブリは、ダイチップ８１０を通じて材料を分配するように構成される。一部の実装では、種々のフィルム構成及び種々の縁部構成に好適な、種々の機械的構造を有する、種々のダイインサート８３０を、ダイチップ８１０内に組み付けることができる。一部の実装では、フィルムの縁部を近接して配置することができ、ダイアセンブリ８００は、そのフィルムの縁部に近接してフィルムの縁部に沿って、フィルムの上面及び下面の少なくとも一方に材料を分配する。分配された材料は、フィルム上にコーティング領域を形成し、そのコーティング領域は、フィルムの縁部付近に限定される。一部の他の実装では、電気ケーブルの長手方向縁部を、ダイチップ８１０に近接して位置決めすることができる。ダイアセンブリ８００は、その電気ケーブルの縁部に近接してフィルムの縁部に沿って、フィルムの上面及び下面の少なくとも一方に、絶縁材料を分配することができる。次いで、この絶縁材料は、電気ケーブルの長手方向縁部にわたって流動することが可能となる。一部の場合には、凝固、硬化、又は他の手法によって、絶縁材料が更に流動することを防止することができる。
【００５３】
図９Ａは、ダイアセンブリ９００及びフィルム９２０の実施形態の斜視図を示す。図９Ｂは、図９Ａに示すダイアセンブリ９００の実施形態の側面図を示す。ダイアセンブリ９００は、ダイマニホールド９０５及びダイチップ９０７を含み得る。ダイチップ９０７は、上部ダイリップ及び下部ダイリップである、２つのダイリップ９１０を含み得る。任意選択的に、ダイアセンブリ９００は、ケーブルを中心位置に保つための、誘導インサート９３０を有し得る。例示的な実施形態では、ダイリップ９１０は、その表面内に溝を有し、縁部絶縁材料９４０の流れを誘導することができる。縁部絶縁材料９４０は、方向９５０に流動している。特定の実施形態では、溝を有する２つのダイリップ９１０の少なくとも一方により、縁部絶縁材料９４０は、その溝を通って、フィルムの上面及び下面の少なくとも一方の上へと流動することが可能となる。一部の実装では、縁部絶縁材料９４０は、フィルムの上面及び下面の少なくとも一方から流動して、図９Ｃにも示されるように、フィルム９２０の縁部を覆うことができる。
【００５４】
図１０Ａは、ダイチップ１０００の別の実施形態の斜視図を示し、図１０Ｂは、図１０Ａに示すダイチップ１０００の実施形態の側面図を示す。ダイチップ１０００は、第１ダイリップ１０１０、及び第１ダイリップ１０１０に向かい合う第２ダイリップ１０２０を含み得る。一部の実施形態では、第１ダイリップ１０１０及び第２ダイリップ１０２０は、その分配部分で、三角形の断面を有し得る。一部の実施形態では、第１ダイリップ１０１０と第２ダイリップ１０２０との間に、フィルム１０３０を配置することができる。縁部絶縁材料１０４０は、第１ダイリップ１０１０及び第２ダイリップ１０２０の少なくとも一方から分配することができる。縁部絶縁材料１０４０の十分に強固な結合を提供することが重要である、特定の実施形態では、フィルム１０３０の上面及び／又は下面に、縁部絶縁材料１０４０を分配して、１０５０の方向に流動させることにより、フィルム１０３０の縁部を封着することができる。
【００５５】
一部の実施形態では、ダイチップは、そのダイチップから材料が出て行くことを可能にする、分配部分を含み得る。この分配部分は、断面を、種々の形状に、例えば、三角形、円形などにすることができる。一部の実装では、分配部分は、材料がダイチップから出て行くことができる、分配開口部を含み得る。この分配開口部は、特定の寸法に機械加工することができる。あるいは、この分配開口部は、シムを使用することにより、その間隙開口部を変更して、縁部絶縁構造の厚さを所望の厚さに調節することができるように、材料の流量を変化させることが可能である。
【００５６】
図１１Ａは、ダイチップ分配部分１１００ａの実施形態の拡大斜視図を示す。ダイチップ分配部分１１００ａは、三角形状の断面を有する、分配部分を有する。ダイチップ分配部分１１００ａは、分配開口部１１１０ａを有する。図１１Ｂは、ダイチップ分配部分１１００ｂの別の実施形態の拡大斜視図を示す。ダイチップ分配部分１１００ｂは、丸い形状の断面を有する、分配部分を有する。ダイチップ分配部分１１００ｂは、分配開口部１１１０ｂを有する。
【００５７】
分配開口部は、そのダイチップで、様々な形状及び位置を有し得る。例えば、分配開口部は、円形開口部、スロット開口部などとすることができる。図１２Ａは、ダイチップ１２００の実施形態のダイリップ開放図を示す。図１２Ｂは、図１２Ａに示すダイチップ１２００の実施形態の側面図を示す。ダイチップ１２００は、互いに向かい合う２つのダイリップ１２１０、２つのダイインサート１２３０、及び２つの分配開口部１２２０を有する。一部の構成では、一方のダイリップは分配開口部１２２０を有し得、他方のダイリップは分配開口部を有し得ない。分配開口部１２２０は、概して円形であり、ダイリップ１２１０の後縁部に向けて位置決めすることができる。
【００５８】
図１３Ａは、ダイチップ１３００の別の実施形態のダイリップ開放図を示す。図１３Ｂは、図１３Ａに示すダイチップ１３００の実施形態の側面図を示す。ダイチップ１３００は、互いに向かい合う２つのダイリップ１３１０、２つのダイインサート１３３０、及び２つの分配開口部１３２０を有する。一部の構成では、一方のダイリップは分配開口部１３２０を有し得、他方のダイリップは分配開口部を有し得ない。分配開口部１３２０は、概して円形であり、ダイリップ１３１０の中央に位置決めすることができる。
【００５９】
図１４Ａは、ダイチップ１４００の更に別の実施形態のダイリップ開放図を示す。図１４Ｂは、図１４Ａに示すダイチップ１４００の実施形態の側面図を示す。ダイチップ１４００は、互いに向かい合う２つのダイリップ１４１０、２つのダイインサート１４３０、及び２つの分配ポート１４２０を有する。一部の構成では、一方のダイリップは分配ポート１４２０を有し得、他方のダイリップは分配開口部を有し得ない。分配ポート１４２０は、スロット開口部とすることができる。特定の実施形態では、分配開口部は、分配される材料の流動方向に対して、概して垂直にすることができる。
【００６０】
概して図１５Ａ〜２４Ｂを参照すると、例えば、本明細書に記載し、図１に示した縁部絶縁ケーブル１００に類似した電気ケーブルなどの電気ケーブルに対する縁部絶縁構造は、１つ又は２つ以上の単一誘電ブロックを含んでいてもよい。少なくとも一態様において、単一ブロックの存在により、ケーブルの縁部を防護し、電気的に絶縁し得る、堅固な縁部絶縁構造を作り出すことができる。少なくとも一態様において、単一ブロックは、ケーブル構成体内に保持され、かつケーブルの縁部から外側へと延在し、堅固な手法を提供する。
【００６１】
図１５Ａ〜１５Ｃは、本発明の態様に係る、概して矩形の断面を有する単一ブロックを含む縁部絶縁構造の３つの例示的な実施形態を示す。ケーブル１５００（図１５Ａにその縁部部分を示す）は、例えば、図１に示す導体セット１０４のような、１つ又は２つ以上の導体セットを含む。各導体セットは、ケーブルの長さに沿って延在し、例えば、図１に示される絶縁導体１０６（各絶縁導体は、誘電材料によって包囲された中心導体を含んでいる）のような、１つ又は２つ以上の絶縁導体を含む。ケーブル１５００は、１つ又は２つ以上の誘電単一ブロック１５０２を更に含む。各単一ブロック１５０２は、ケーブルの長さに沿って延在する。ケーブル１５００は、（例えば、図１に示す遮蔽フィルム１０８と同様に）導体セットの互いに向かい合う第１及び第２の側面上に配置され、かつ（例えば、図１５Ａに示すように）単一ブロック１５０２の互いに向かい合う第１及び第２の側面上に配置された第１及び第２の導電性遮蔽フィルム１５０８を更に含む。第１及び第２の遮蔽フィルム１５０８は、カバー部分と、挟み付け部分と、を含み、該カバー部分及び挟み付け部分は、断面において、第１及び第２の遮蔽フィルムのカバー部分が組み合わさって各導体セットを（例えば、図１に示す遮蔽フィルム１０８と同様に）実質的に包囲し、かつ各単一ブロック１５０２を（例えば、図１５Ａに示すように）実質的に包囲し、また、第１及び第２の遮蔽フィルムの挟み付け部分が組み合わさって、（例えば、図１に示す遮蔽フィルム１０８と同様に）導体セットの両側においてケーブルの挟み付け部分を形成し、かつ、（例えば、図１５Ａに示すように）単一ブロック１５０２の少なくとも片側において、ケーブルの挟み付け部分を形成するように配置構成される。ケーブル１５００は、例えば、図１に示す遮蔽フィルム１０８と同様に、ケーブルの挟み付け部分において、第１の遮蔽フィルムを第２の遮蔽フィルムに結合する接着層１５４０を更に含む。本明細書の他の部分で論じられるように、遮蔽フィルムは、様々な構成を有し得る。図１５Ａに示す例示的な実施形態においては、遮蔽フィルム１５０８は、非導電性高分子層１５１０と、導電性層１５２０を含み、その例については、本明細書の他の部分で論じられる。
【００６２】
ケーブル１５００’（図１５Ｂにその縁部部分を示す）は、ケーブル１５００に類似している。ケーブル１５００においては、単一ブロック１５０２は、遮蔽フィルム１５０８の長手方向縁部の一部分を覆っていないが、ケーブル１５００’においては、単一ブロック１５０２’は、両方の遮蔽フィルム１５０８の長手方向縁部の一部分を覆っている。代替的な実施形態においては、単一ブロック１５０２’は、第１及び第２の導電性遮蔽フィルム１５０８の少なくとも一方の長手方向縁部の少なくとも一部分を覆うように構成されてもよい。これは、少なくとも一態様において、段部１５０４を有する単一ブロック１５０２’によって達成することができる。段部１５０４は、一方の導電性遮蔽フィルム１５０８の長手方向縁部の少なくとも一部分を覆うように、ケーブル１５００’（図示せず）の片側にのみ存在してもよいし、又は、両方の導電性遮蔽フィルム１５０８の長手方向縁部の少なくとも一部分を覆うように、ケーブル１５００’の両側に（例えば、図１５Ｂに示すように）存在してもよい。少なくとも一態様において、段部１５０４は、導電性層１５２０の長手方向縁部を完全に覆っていてもよく、また、段部１５０４は、非導電性高分子層１５１０の長手方向縁部を覆っていないか（図示せず）、（例えば、図１５Ｂに示すように）部分的に覆っているか、又は、完全に覆っているか（図示せず）のいずれかであってよい。少なくとも一態様において、段部１５０４は、導電性遮蔽フィルムのいずれの導電性層の長手方向縁部を覆っていてもよい。
【００６３】
ケーブル１５００”（図１５Ｃにその縁部部分を示す）は、ケーブル１５００’に類似している。ケーブル１５００’においては、単一ブロック１５０２’は、両方の遮蔽フィルム１５０８の長手方向縁部の一部分を覆っているが、ケーブル１５００”においては、単一ブロック１５０２は、遮蔽フィルム１５０８の長手方向縁部の一部分を覆ってはおらず、代わりに接着層１５４０が、両方の遮蔽フィルム１５０８の長手方向縁部の一部分を覆っている。代替的な実施形態においては、接着層１５４０は、第１及び第２の導電性遮蔽フィルム１５０８の少なくとも一方の長手方向縁部の少なくとも一部分を覆ってもよい。
【００６４】
少なくとも一態様において、単一ブロックは、ケーブルの縁部が絶縁されるように、遮蔽フィルムの縁部を超えて延在する。少なくとも一態様において、縁部の絶縁は、単一ブロックの長手方向縁部によって画定される、ケーブルの長手方向縁部と、第１及び第２の導電性遮蔽フィルムの少なくとも一方の長手方向縁部との間の距離によって実現される。
【００６５】
この単一ブロックは、任意の好適な高分子材料のものとすることができ、それらの高分子材料としては、ポリエステル、ポリイミド、ポリアミド−イミド、ポリテトラフルオロエチレン、ポリプロピレン、ポリエチレン、ポリフェニレンスルフィド、ポリエチレンナフタレート、ポリカーボネート、シリコーンゴム、エチレンプロピレンジエンゴム、ポリウレタン、アクリレート、シリコーン、天然ゴム、エポキシ、及び合成ゴム接着剤が挙げられるが、それらに限定されない。更には、この単一ブロックは、対象用途に関して好適な特性を提供するために、１種類又は２種類以上の添加剤及び／又は充填剤を含み得る。単一ブロックは、均質な誘電体であってもよいし、層状の誘電体であってもよいし、また、接着層を含んでいても、いなくてもよい。単一ブロックは、例えば、絶縁線と同様の、導電性の（例えば、金属の）コア又は内部層を含んでいてもよい。単一ブロックは、片側又は両側に接着剤を有していてもよい。接着剤は、例えば、ホットメルト接着剤などの、任意の好適な種類の接着剤であってよい。ケーブル構成体の２枚の遮蔽フィルム間で挟み込むことによって、単一ブロックを、この構成体内にしっかりと固定し得る。
【００６６】
少なくとも一実施形態において、単一ブロックは、１ｍｍ未満の厚さを有する。他の実施形態においては、単一ブロックは、０．５ｍｍ未満、又は０．２５ｍｍ未満、又は０．１ｍｍ未満の厚さを有する。図１５Ａ〜１５Ｃに示す例示的な実施形態においては、単一ブロックは、概して矩形の断面を有する。単一ブロックは、例えば、概して曲線的な断面（例えば、概して楕円又は円形の断面など）、又は概して直線的な断面（例えば、概して矩形の断面又は多角形の断面など）といった、任意の好適な断面を有していてよい。
【００６７】
図１６Ａ〜１６Ｂは、概して矩形の断面を有する単一ブロックを含む縁部絶縁構造の例示的な作製方法を示す。少なくとも一態様において、図１６Ａに示すように、ケーブル１６００の遮蔽フィルム１６０８（ケーブル１５００の遮蔽フィルム１５０８と同様のもの）を、成形ローラー又はプラテン１６５５へと給送し、また、ケーブル１６００の単一ブロック１６０２も、遮蔽フィルム間にて、成形ローラー１６５５へと給送される。少なくとも一態様において、遮蔽フィルム１６０８は、単一ブロック１６０２と結合し、単一ブロック１６０２の少なくとも一部分を取り囲む。結果として得られるケーブル１６００を図１６Ｂに示す。少なくとも一態様において、成形ローラー１６５５は、断面において、ケーブル１６００の断面形状に概ね対応する開口部を形成する。
【００６８】
図１７Ａ〜１７Ｄは、概して矩形の断面を有する単一ブロックを含む縁部絶縁構造の他の例示的な作製方法を示す。この方法では、単一の操作で２つの縁部絶縁構造を作製することが可能である。図１７Ａを参照すると、図１６Ａ〜１６Ｂに関して上述した方法と同様に、単一ブロック１７０２を１つ、ケーブル１７００ａの遮蔽フィルム１７０８ａとケーブル１７００ｂの遮蔽フィルム１７０８ｂとの間に給送する。少なくとも一態様において、単一の遮蔽フィルム１７０８を切り裂くか、あるいは分離して、選択した幅を有する開口部１７０８ｃを形成し、所定の幅を有する遮蔽フィルム１７０８ａ及び１７０８ｂを形成してもよい。あるいは、遮蔽フィルム１７０８ａ及び１７０８ｂは、任意の好適な既知の方法を使用して、所定の幅にトリミングされてもよい。次いで、図１７Ｂに示すように、１つの単一ブロック１７０２を、例えば、切り裂き用ナイフ１７１２を使用することによって、切り裂くか、あるいは分離して、ケーブル１７００ａに対する１つの単一ブロック１７０２ａと、ケーブル１７００ｂに対する１つの単一ブロック１７０２ｂを含む、２つの単一ブロックとする。単一ブロック１７０２を切り裂くか、又は分離する工程は、任意の好適な既知の方法によって行ってよく、また、この工程は、遮蔽フィルム間に単一ブロックを給送するのと同時に行ってもよいし、その給送の後に行ってもよい。有利なことに、図１７Ｃ〜１７Ｄに示すように、同一の方法を使用して、単一の縁部絶縁構造を作製することもでき、この場合、ケーブル１７００ｂの遮蔽フィルム１７０８ｂは存在せず、図１７Ｃに示すように、単一ブロック１７０２をケーブル１７００ａの遮蔽フィルム１７０８ａ間に給送し、それと同時に、又はその後に、図１７Ｄに示すように切り裂く。
【００６９】
図１８Ａ〜１８Ｄは、概して矩形の断面を有する単一ブロックを含む縁部絶縁構造の他の例示的な作製方法を示す。この方法では、単一の操作で２つの縁部絶縁構造を作製することが可能であり、遮蔽フィルムを積層するプロセスに先立って、遮蔽フィルムをある幅に切り裂くか、あるいは分離又はトリミングする必要がなくなる。この方法においては、図１８Ａに示すように、遮蔽フィルム１８０８は、単一ブロック１８０２を実質的に取り囲んでいる。次いで、図１８Ｂに示すように、例えば、切り裂き用ナイフ１８１２を使用することによって、遮蔽フィルム１８０８及び単一ブロック１８０２を切り裂くか、あるいは分離する。結果として、ケーブル１８００ａ及び１８００ｂが形成され、ここで、ケーブル１８００ａには、得られた遮蔽フィルム１８０８ａと単一ブロック１８０２ａが含まれ、ケーブル１８００ｂには、得られた遮蔽フィルム１８０８ｂと単一ブロック１８０２ｂが含まれる。図１８Ｃに示すように、例えば、（加熱した）ローラー又はプラテン１８５５を使用することによって、ケーブル１８００ａ及び１８００ｂに圧力を、及び任意選択的には熱を適用し、それぞれの遮蔽フィルムの長手方向縁部を超えて延在する、単一ブロック１８０２ａ及び１８０２ｂの端部１８１４ａ及び１８１４ｂをそれぞれ形成して、図１８Ｄに示すように、縁部絶縁構造を完成させる。有利なことに、同一の方法を使用して、単一の縁部絶縁構造を作製することもできる。
【００７０】
既に言及したように、単一ブロックは、例えば、概して曲線的な断面（例えば、概して楕円又は円形の断面など）、又は概して直線的な断面（例えば、概して矩形の断面又は多角形の断面など）といった、任意の好適な断面を有していてよい。図１９Ａ〜１９Ｃは、概して円形の断面を有する単一ブロックを含む縁部絶縁構造の３つの例示的な実施形態を示す。
【００７１】
ケーブル１５００と同様に、ケーブル１９００（図１９Ａにその縁部部分を示す）は、１つ又は２つ以上の導体セット（図示せず）と、１つ又は２つ以上の誘電単一ブロック１９０２と、第１及び第２の導電性遮蔽フィルム１９０８と、接着層１９４０と、を含む。単一ブロック１９０２は、概して円形の断面を有する。
【００７２】
ケーブル１９００’（図１９Ｂにその縁部部分を示す）は、ケーブル１９００に類似している。ケーブル１９００においては、単一ブロック１９０２は、遮蔽フィルム１９０８の長手方向縁部の一部分を覆っていないが、ケーブル１９００’においては、単一ブロック１９０２’は、両方の遮蔽フィルム１９０８の長手方向縁部の一部分を覆う。少なくとも一態様において、これは、段部１９０４を有する単一ブロック１９０２’によって達成することもできる。この点において、ケーブル１９００’の縁部絶縁構造は、ケーブル１５００’の縁部絶縁構造に類似している。
【００７３】
ケーブル１９００”（図１９Ｃにその縁部部分を示す）は、ケーブル１９００’に類似している。ケーブル１９００’においては、単一ブロック１９０２’は、両方の遮蔽フィルム１９０８の長手方向縁部の一部分を覆っているが、ケーブル１９００”においては、単一ブロック１９０２は、遮蔽フィルム１９０８の長手方向縁部の一部分を覆ってはおらず、代わりに接着層１９４０が、両方の遮蔽フィルム１９０８の長手方向縁部の一部分を覆っている。この点において、ケーブル１９００”の縁部絶縁構造は、ケーブル１５００”の縁部絶縁構造に類似している。
【００７４】
また、本明細書に記載する、概して矩形の断面を有する単一ブロックを含む縁部絶縁構造の作製方法は、異なる形状を有する単一ブロックを含む縁部絶縁構造を作製するために適用することもできる。例えば、図２０Ａ〜２０Ｂは、概して円形の断面を有する単一ブロックを含む縁部絶縁構造の例示的な作製方法を示す。図１６Ａ〜１６Ｂに示す方法と同様に、少なくとも一態様において、図２０Ａに示すように、ケーブル２０００の遮蔽フィルム２００８（ケーブル１９００’の遮蔽フィルム１９０８と同様のもの）が、成形ローラー又はプラテン２０５５へと給送され、また、ケーブル２０００の単一ブロック２００２（ケーブル１９００’の単一ブロック１９０２’と同様のもの）も、遮蔽フィルム間にて、成形ローラー２０５５へと給送される。少なくとも一態様において、遮蔽フィルム２００８は、単一ブロック２００２と結合し、単一ブロック２００２の少なくとも一部分を取り囲む。結果として得られるケーブル２０００を図２０Ｂに示す。少なくとも一態様において、成形ローラー２０５５は、断面において、ケーブル２０００の断面形状に概して対応する開口部を形成する。
【００７５】
図２１は、二葉状断面を有する単一ブロックを含む縁部絶縁構造の例示的な実施形態を示す。ケーブル２１００（図２１にその縁部部分を示す）は、例えば、図１に示す導体セット１０４のような、１つ又は２つ以上の導体セットを含む。各導体セットは、ケーブルの長さに沿って延在し、例えば、図１に示される絶縁導体１０６（各絶縁導体は、誘電材料によって包囲された中心導体を含んでいる）のような、１つ又は２つ以上の絶縁導体を含む。ケーブル２１００は、誘電単一ブロック２１０２を更に含む。単一ブロック２１０２は、ケーブルの縁部に沿って配置され、ケーブルの長さに沿って延在する。単一ブロック２１０２は、それぞれ、厚い第１の突出部２１０６ａと第２の突出部２１０６ｂの２つの間に配置された薄い中間部分２１０４を有した二葉状断面を有する。ケーブル２１００は、（例えば、図１に示す遮蔽フィルム１０８と同様に）導体セットの互いに向かい合う第１及び第２の側面上に配置され、かつ（例えば、図２１に示すように）単一ブロック２１０２の互いに向かい合う第１及び第２の側面上に配置された第１及び第２の導電性遮蔽フィルム２１０８を更に含む。第１及び第２の遮蔽フィルム２１０８は、カバー部分と、挟み付け部分と、を含み、該カバー部分及び挟み付け部分は、断面において、第１及び第２の遮蔽フィルムのカバー部分が組み合わさって各導体セットを（例えば、図１に示す遮蔽フィルム１０８と同様に）実質的に包囲し、かつ単一ブロック２１０２の第１の突出部２１０６ａを（例えば、図２１に示すように）実質的に包囲し、また、第１及び第２の遮蔽フィルムの挟み付け部分が組み合わさって、（例えば、図１に示す遮蔽フィルム１０８と同様に）導体セットの両側においてケーブルの挟み付け部分を形成し、かつ、第２の突出部２１０６ｂと向かい合う第１の突出部２１０６ａの側面において、ケーブルの挟み付け部分を形成するように配置構成され、第１及び第２の導電性遮蔽フィルムのそれぞれの縁部は、（例えば、図２１に示すように）単一ブロック２１０２の薄い中間部分２１０４に配置される。ケーブル２１００は、例えば、図１に示す遮蔽フィルム１０８と同様に、ケーブルの挟み付け部分において、第１の遮蔽フィルムを第２の遮蔽フィルムに結合し、かつ、例えば、図２１に示すように、第１及び第２の遮蔽フィルム２１０８を単一ブロック２１０２の第１の突出部２１０６ａに結合する接着層２１４０を更に含む。少なくとも一態様において、単一ブロック２１０２の第１の突出部２１０６ａは、遮蔽フィルム２１０８間で単一ブロック２１０２を固定、又は保持するように機能し、第２の突出部２１０６ｂは、ケーブル２１００の長手方向縁部を防護するように機能する。少なくとも一態様において、二葉状断面であることの利点の１つは、例えば、図２１に示すように、遮蔽フィルムの長手方向縁部を、突出部間での貫入部にて、隠蔽できることである。図２１に示す例示的な実施形態においては、第１の突出部２１０６ａ及び第２の突出部２１０６ｂは、円形の断面を有しているが、他の実施形態においては、少なくともこれらの機能を果たすために、第１の突出部２１０６ａ及び第２の突出部２１０６ｂは、任意の好適な断面を有していてよい。少なくとも一態様において、第１及び第２の遮蔽フィルム２１０８は、少なくとも第１の突出部２１０６ａを部分的に覆っていてもよく、また、第２の突出部２１０６ｂを部分的に覆うように延在していてもよい。
【００７６】
図２２Ａ〜２２Ｃは、二葉状断面を有する単一ブロックを含む縁部絶縁構造の例示的な作製方法を示す。この方法においては、図２２Ａに示すように、遮蔽フィルム２２０８は、それぞれ、厚い第１の突出部２２０６ａと第２の突出部２２０６ｂの２つの間に配置された薄い中間部分２２０４を有した二葉状断面を有する、単一ブロック２２０２を実質的に取り囲んでいる。次いで、図２２Ｂに示すように、単一ブロック２２０２の薄い中間部分２２０４の領域内で、例えば、切り裂き用ナイフ２２１２を使用することによって、遮蔽フィルム２２０８を切り裂き、第２の突出部２２０６ｂを覆う、遮蔽フィルム２２０８の部分を、第２の突出部２２０６ｂから取り除く。結果として、ケーブル２２００が形成され、ここで、第１及び第２の遮蔽フィルム２２０８は、組み合わさって単一ブロック２２０２の第１の突出部２２０６ａを実質的に包囲し、また、第１及び第２の遮蔽フィルム２２０８のそれぞれの縁部は、図２２Ｃに示すように、単一ブロック２２０２の薄い中間部分２２０４に配置される。
【００７７】
図２３Ａ〜２３Ｂは、二葉状断面を有する単一ブロックを含む縁部絶縁構造の他の例示的な作製方法を示す。図１６Ａ〜１６Ｂ及び図２０Ａ〜２０Ｂに示す方法と同様に、少なくとも一態様において、図２３Ａに示すように、ケーブル２３００の遮蔽フィルム２３０８（ケーブル２１００の遮蔽フィルム２１０８と同様のもの）を、成形ローラー又はプラテン２３５５へと給送し、また、ケーブル２３００の単一ブロック２３０２（ケーブル２１００の単一ブロック２１０２と同様のもの）も、遮蔽フィルム間にて、成形ローラー２３５５へと給送される。少なくとも一態様において、遮蔽フィルム２３０８は、単一ブロック２３０２と結合し、単一ブロック２３０２の少なくとも一部分を取り囲む。結果として得られるケーブル２３００を図２３Ｂに示す。少なくとも一態様において、成形ローラー２３５５は、断面において、ケーブル２３００の断面形状に概して対応する開口部を形成する。
【００７８】
また、少なくとも一態様において、電気ケーブルの縁部絶縁構造は、ケーブルの導電性遮蔽フィルムの導電性層に破断部を生成してから、封着することにより作り出してもよい。これにより、ケーブルの縁部付近に、導電性層がケーブルの縁部から引っ込んでいる領域を作り出すことになる。少なくとも一態様において、これは、導電性層を配置する導電性遮蔽フィルムの基材（及びケーブルの接着層）を引き延ばしつつ、導電性遮蔽フィルムを、任意選択的に加熱して、導電性層において開口部が形成されるほどに、十分に側方に引き延ばすか、あるいは変形させることにより達成することができる。少なくとも一態様においては、導電性層が、該導電性層が配置される基材よりも小さい破断伸び率を有している場合に、このリザーバの形成法が可能である。次に、リザーバに対応する領域内でケーブルを切り裂いて、１つ又は２つの縁部絶縁構造を作り出すことが出来る。
【００７９】
図２４Ａ〜２４Ｄは、１つ又は２つ以上のリザーバを含む縁部絶縁構造の例示的な作製方法及び例示的な実施形態を示す。ケーブル２４００（図２４Ａにその一部分を示す）は、例えば、図１に示す導体セット１０４のような、１つ又は２つ以上の導体セットを含む。各導体セットは、ケーブルの長さに沿って延在し、例えば、図１に示される絶縁導体１０６（各絶縁導体は、誘電材料によって包囲された中心導体を含んでいる）のような、１つ又は２つ以上の絶縁導体を含む。図２４Ｂに示すように、ケーブル２４００は、１つ又は２つ以上のリザーバ２４５０を更に含む。各リザーバ２４５０は、ケーブルの長さに沿って延在し、かつ第１の誘電材料で充填されている。図２４Ｂに示す例示的な実施形態においては、第１の誘電材料は、接着剤を含む。少なくとも一態様において、接着剤は、ケーブル２４００の接着層２４４０の一部分である。ケーブル２４００は、（例えば、図１に示す遮蔽フィルム１０８と同様に）導体セットの互いに向かい合う第１及び第２の側面上に配置され、かつ（例えば、図２４Ｂに示すように）リザーバ２４５０の互いに向かい合う第１及び第２の側面上に配置された第１及び第２の導電性遮蔽フィルム２４０８を更に含む。第１及び第２の遮蔽フィルム２４０８は、カバー部分と、挟み付け部分と、を含み、該カバー部分及び挟み付け部分は、断面において、第１及び第２の遮蔽フィルムのカバー部分が組み合わさって各導体セットを（例えば、図１に示す遮蔽フィルム１０８と同様に）実質的に包囲し、かつ各リザーバ２４５０を（例えば、図２４Ｂに示すように）実質的に包囲し、また、第１及び第２の遮蔽フィルムの挟み付け部分が組み合わさって、（例えば、図１に示す遮蔽フィルム１０８と同様に）導体セットの両側においてケーブルの挟み付け部分を形成し、かつ、（例えば、図２４Ｂに示すように）リザーバ２４５０の両側において、ケーブルの挟み付け部分を形成するように配置構成される。ケーブル２４００は、例えば、図１に示す遮蔽フィルム１０８と同様に、ケーブルの挟み付け部分において、第１の遮蔽フィルムを第２の遮蔽フィルムに結合する接着層２４４０を更に含む。第１及び第２の遮蔽フィルム２４０８は、第１及び第２の基材２４１０上にそれぞれ配置され、かつ互いに向かい合った第１及び第２の導電性層２４２０をそれぞれ含んでいる。少なくとも一態様において、第１及び第２の基材２４１０は、非導電性高分子層を含み、その例については、本明細書の他の部分で論じられる。リザーバに対応するカバー部分において、第１の基材２４１０ではなく、第１の導電性層２４２０が、開口部２４２０ｃを含む。開口部２４２０ｃが、ケーブルの長さの少なくとも一部分に沿って延在する。リザーバ２４５０は、導電性層２４２０が破断して、開口部２４２０ｃを形成する一方で、破断して、開口部を形成することなく、基材２４１０（及び接着層２４４０）が側方に伸長するように、第１及び第２の遮蔽フィルム２４０８（及び接着層２４４０）を、図２４Ａの矢印で示されるように側方に引き延ばすことによって形成されてもよい。結果として得られるケーブル構成体を図２４Ｂに示す。少なくとも一態様において、この引き延ばし工程は、局所的に、また、任意選択的に加熱して行ってもよい。少なくとも一態様において、遮蔽フィルムの１つ又は２つ以上の層において長手方向の切欠き（図示せず）を含めることによって、局所的な引き延ばしを達成してもよい。長手方向の切欠きは、遮蔽フィルムの層構造を構築する前又はその後に加えることができる。少なくとも一態様において、遮蔽フィルムのこの引き延ばし工程は、遮蔽フィルムをケーブル構成体へと積層する前又はその後に行うことができる。積層の前に引き延ばし工程が行われる場合は、積層の際に導電性層の開口部を位置合わせすることができる。
【００８０】
遮蔽フィルムの引き延ばし工程に続いて、例えば、図２４Ｃに示すように、ケーブル２４００を、例えば、ニップローラー又はプラテン２４５５を使用して、かつ任意選択的に加熱して圧迫し、基材２４１０を、例えば、接着層２４４０によって、リザーバ２４５０に対応する領域内で１つに結合する。結果として、この領域内では、第１及び第２の導電性層２４２０の長手方向縁部は、第１及び第２の基材２４１０の長手方向縁部に対して引っ込んでいる。少なくとも一態様において、接着層２４４０が開口部２４２０ｃ内へ流れ込んで、導電性層２４２０の長手方向縁部を包み込み、この領域内でのケーブル構成体に対する支持を提供する。次いで、図２４Ｄに示すように、リザーバ２４５０に対応する領域内で、例えば、切り裂き用ナイフ２４１２を使用することによって、遮蔽フィルム２４０８を切り裂くか、あるいは分離する。結果として、ケーブル２４００ａ及び２４００ｂが形成され、ここで、ケーブル２４００ａには、第１及び第２の基材２４１０ａ、並びに第１及び第２の導電性層２４２０ａを含む、得られた遮蔽フィルム２４０８ａが含まれ、ケーブル１８００ｂには、第１及び第２の基材２４１０ｂ、並びに第１及び第２の導電性層２４２０ｂを含む、得られた遮蔽フィルム２４０８ｂが含まれる。各ケーブルにおいて、第１及び第２の導電性層の長手方向縁部は、例えば、図２４Ｄに示すように、第１及び第２の基材の長手方向縁部に対して引っ込んでいる。少なくとも一実施形態において、第１及び第２の導電性層の長手方向縁部は、第１及び第２の基材の長手方向縁部よりも粗い。少なくとも一態様においては、導電性層の長手方向縁部が、遮蔽フィルムを引き延ばす間に破断又は引き裂かれることによって形成される一方で、基材の長手方向縁部は、切り裂かれることによって形成されているために、このような状態となる。
【００８１】
第１の実施形態は、電気ケーブルの長手方向縁部の場所付近に配置され、その場所で電気的接触を形成しやすい導電材料を有する、電気ケーブルと、その場所で電気ケーブルに結合される絶縁材料とを含む、縁部絶縁電気ケーブルである。
【００８２】
第２の実施形態は、絶縁材料が、電気ケーブルの構成体内で使用される材料を含む、第１の実施形態の縁部絶縁電気ケーブルである。
【００８３】
第３の実施形態は、絶縁材料が熱可塑性材料を含む、第１の実施形態の縁部絶縁電気ケーブルである。
【００８４】
第４の実施形態は、絶縁材料が硬化性化合物を含む、第１の実施形態の縁部絶縁電気ケーブルである。
【００８５】
第５の実施形態は、縁部をその場所で覆う導電材料と、その導電材料を覆う絶縁材料とを更に含む、第１の実施形態の縁部絶縁電気ケーブルである。
【００８６】
第６の実施形態は、ケーブルに沿って長さ方向に延在する導体と、ケーブル内の第１の側方位置で、ケーブルに沿って長さ方向に延在するリザーバとを含み、このリザーバが、ケーブル内の異なる第２の側方位置へと移行されるように適合された誘電材料を収容する、電気ケーブルである。
【００８７】
第７の実施形態は、第２の側方位置が、ケーブルの長手方向縁部にある、第６の実施形態の電気ケーブルである。
【００８８】
第８の実施形態は、リザーバに形成された縁部絶縁構造を更に含み、このリザーバが絶縁層を含み、縁部絶縁構造が、そのリザーバの絶縁層の一部分によって部分的に形成される、第６の実施形態の電気ケーブルである。
【００８９】
第９の実施形態は、長手方向縁部付近に配置され、その縁部で電気的接触を形成しやすい導電材料を有する、電気ケーブルを含み、このケーブルが、ケーブルの長さに沿って折り曲げられ、その折り目が、第２部分に向かい合う第１部分を画定し、この第２部分が、ケーブルの長手方向縁部を含み、結合材料が、ケーブルの長さに沿って、第１部分に第２部分を結合する、縁部絶縁電気ケーブルである。
【００９０】
第１０の実施形態は、結合材料が長手方向縁部を覆う、第９の実施形態の縁部絶縁電気ケーブルである。
【００９１】
第１１の実施形態は、電気ケーブルが、絶縁材料を含むフィルムを含む、第９の実施形態の縁部絶縁電気ケーブルである。
【００９２】
第１２の実施形態は、第１層及び第２層を有する電気ケーブルを含み、この第２層が、第２層の長手方向縁部付近に配置され、その縁部で電気的接触を形成しやすい導電材料を有し、この第２層が、第１層に向けてケーブルの長さに沿って折り曲げられ、その折り目が、第２層の第２部分に向かい合う第２層の第１部分を画定し、この第２層の第２部分が、第２層の長手方向縁部を含み、結合材料が、ケーブルの長さに沿って、第２層の第１部分に第２層の第２部分を結合する、縁部絶縁電気ケーブルである。
【００９３】
第１３の実施形態は、結合材料が、電気ケーブルの構成体内で使用される材料を含む、第１２の実施形態の縁部絶縁電気ケーブルである。
【００９４】
第１４の実施形態は、電気ケーブルの長手方向縁部に絶縁材料を適用する方法であって、その長手方向縁部に近接して長手方向縁部に沿って、電気ケーブルの上面及び下面の少なくとも一方に絶縁材料を分配する工程と、長手方向縁部にわたって絶縁材料が流動することを可能にする工程と、その絶縁材料の更なる流動を防止する工程とを含む、方法である。
【００９５】
第１５の実施形態は、防止する工程が、絶縁材料を凝固させる工程を含む、第１４の実施形態の方法である。
【００９６】
第１６の実施形態は、防止する工程が、絶縁材料を硬化させる工程を含む、第１５の実施形態の方法である。
【００９７】
第１７の実施形態は、フィルム縁部コーティング用の装置であって、ダイチップを通じて材料を分配するように構成されたダイアセンブリと、ダイチップに近接して位置決めされるフィルムの縁部とを含み、このダイアセンブリが、そのフィルムの縁部に近接してフィルムの縁部に沿って、フィルムの上面及び下面の少なくとも一方に材料を分配し、分配された材料が、フィルム上にコーティング領域を形成し、そのコーティング領域が、フィルムの縁部付近に限定される、装置である。
【００９８】
第１８の実施形態は、フィルムが電気ケーブルである、第１７の実施形態の装置である。
【００９９】
第１９の実施形態は、ダイチップが、そのダイチップから材料が出て行くことを可能にする分配開口部を含む、第１７の実施形態の装置である。
【０１００】
第２０の実施形態は、ケーブルであって、１つ又は２つ以上の導体セットであって、各導体セットは、ケーブルの長さに沿って延在し、かつ１つ又は２つ以上の絶縁導体を含み、各絶縁導体は、誘電材料によって包囲される中心導体を含む、導体セットと、１つ又は２つ以上の誘電単一ブロックであって、各単一ブロックは、ケーブルの長さに沿って延在する、誘電単一ブロックと、導体セット及び誘電ブロックの互いに向かい合う第１及び第２の側面上に配置された第１及び第２の導電性遮蔽フィルムであって、第１及び第２の導電性遮蔽フィルムは、カバー部分と、挟み付け部分と、を含み、カバー部分及び挟み付け部分は、断面において、第１及び第２の遮蔽フィルムのカバー部分が組み合わさって各導体セット及び各単一ブロックを実質的に包囲し、第１及び第２の遮蔽フィルムの挟み付け部分が組み合わさって、導体セットの両側において、かつ、単一ブロックの少なくとも片側において、ケーブルの挟み付け部分を形成するように配置構成される、第１及び第２の導電性遮蔽フィルムと、ケーブルの挟み付け部分において、第１の遮蔽フィルムを第２の遮蔽フィルムに結合する接着層と、を含む、ケーブルである。
【０１０１】
第２１の実施形態は、単一ブロックが、第１及び第２の導電性遮蔽フィルムの少なくとも一方の長手方向縁部の少なくとも一部分を覆う、実施形態２０のケーブルである。
【０１０２】
第２２の実施形態は、接着層が、第１及び第２の導電性遮蔽フィルムの少なくとも一方の長手方向縁部の少なくとも一部分を覆う、実施形態２０のケーブルである。
【０１０３】
第２３の実施形態は、単一ブロックが、２つの厚い突出部の間に配置された薄い中間部分を有した二葉状断面を有する、実施形態２０のケーブルである。
【０１０４】
第２４の実施形態は、単一ブロックが、１ｍｍ未満の厚さを有する、実施形態２０のケーブルである。
【０１０５】
第２５の実施形態は、単一ブロックが、概して直線的な断面を有する、実施形態２０のケーブルである。
【０１０６】
第２６の実施形態は、単一ブロックが、概して曲線的な断面を有する、実施形態２０のケーブルである。
【０１０７】
第２７の実施形態は、ケーブルであって、１つ又は２つ以上の導体セットであって、各導体セットは、ケーブルの長さに沿って延在し、かつ１つ又は２つ以上の絶縁導体を含み、各絶縁導体は、誘電材料によって包囲される中心導体を含む、導体セットと、ケーブルの縁部に沿って配置され、ケーブルの長さに沿って延在し、かつ、厚い第１及び第２の突出部の間に配置された薄い中間部分を有した二葉状断面を有する、誘電単一ブロックと、導体セット及び単一ブロックの互いに向かい合う第１及び第２の側面上に配置された第１及び第２の導電性遮蔽フィルムであって、第１及び第２の導電性遮蔽フィルムは、カバー部分と、挟み付け部分と、を含み、カバー部分及び挟み付け部分は、断面において、第１及び第２の遮蔽フィルムのカバー部分が組み合わさって各導体セット及び単一ブロックの第１の突出部を実質的に包囲し、第１及び第２の遮蔽フィルムの挟み付け部分が組み合わさって、導体セットの両側において、かつ、第２の突出部と向かい合う第１の突出部の側面において、ケーブルの挟み付け部分を形成するように配置構成され、第１及び第２の導電性遮蔽フィルムのそれぞれの縁部は、単一ブロックの薄い中間部分に配置される、第１及び第２の導電性遮蔽フィルムと、ケーブルの挟み付け部分において、第１の遮蔽フィルムを第２の遮蔽フィルムに結合し、かつ、第１及び第２の遮蔽フィルムを単一ブロックの第１の突出部に結合する接着層と、を含む、ケーブルである。
【０１０８】
第２８の実施形態は、ケーブルであって、１つ又は２つ以上の導体セットであって、各導体セットは、ケーブルの長さに沿って延在し、かつ１つ又は２つ以上の絶縁導体を含み、各絶縁導体は、誘電材料によって包囲される中心導体を含む、導体セットと、１つ又は２つ以上のリザーバであって、各リザーバは、ケーブルの長さに沿って延在し、かつ第１の誘電材料で充填されている、リザーバと、導体セット及びリザーバの互いに向かい合う第１及び第２の側面上に配置された第１及び第２の導電性遮蔽フィルムであって、第１及び第２の導電性遮蔽フィルムは、カバー部分と、挟み付け部分と、を含み、カバー部分及び挟み付け部分は、断面において、第１及び第２の遮蔽フィルムのカバー部分が組み合わさって各導体セット及び各リザーバを実質的に包囲し、第１及び第２の遮蔽フィルムの挟み付け部分が組み合わさって、導体セット及びリザーバの両側において、ケーブルの挟み付け部分を形成するように配置構成される、第１及び第２の導電性遮蔽フィルムと、ケーブルの挟み付け部分において、第１の遮蔽フィルムを第２の遮蔽フィルムに結合する接着層と、を含み、第１及び第２の遮蔽フィルムは、第１及び第２の導電性層をそれぞれ含み、第１及び第２の導電性層は、第１及び第２の基材上にそれぞれ配置され、第１及び第２の導電性層は、互いに向かい合い、リザーバに対応するカバー部分において、第１の基材ではなく、第１の導電性層が、ケーブルの長さの少なくとも一部分に沿って延在する開口部を含む、ケーブルである。
【０１０９】
第２９の実施形態は、第１の誘電材料が接着剤を含む、実施形態２８のケーブルである。
【０１１０】
第３０の実施形態は、ケーブルであって、１つ又は２つ以上の導体セットであって、各導体セットは、ケーブルの長さに沿って延在し、かつ１つ又は２つ以上の絶縁導体を含み、各絶縁導体は、誘電材料によって包囲される中心導体を含む、導体セットと、１つ又は２つ以上のリザーバであって、各リザーバは、ケーブルの長さに沿って延在し、かつ第１の誘電材料で充填されている、リザーバと、導体セット及びリザーバの互いに向かい合う第１及び第２の側面上に配置された第１及び第２の導電性遮蔽フィルムであって、第１及び第２の導電性遮蔽フィルムは、カバー部分と、挟み付け部分と、を含み、カバー部分及び挟み付け部分は、断面において、第１及び第２の遮蔽フィルムのカバー部分が組み合わさって各導体セット及び各リザーバを実質的に包囲し、第１及び第２の遮蔽フィルムの挟み付け部分が組み合わさって、導体セット及びリザーバの両側において、ケーブルの挟み付け部分を形成するように配置構成される、第１及び第２の導電性遮蔽フィルムと、ケーブルの挟み付け部分において、第１の遮蔽フィルムを第２の遮蔽フィルムに結合する接着層と、を含み、第１及び第２の遮蔽フィルムは、第１及び第２の導電性層をそれぞれ含み、第１及び第２の導電性層は、第１及び第２の基材上にそれぞれ配置され、第１及び第２の導電性層は、互いに向かい合い、リザーバに対応するカバー部分において、第１及び第２の導電性層の長手方向縁部は、第１及び第２の基材の長手方向縁部に対して引っ込んでいる、ケーブルである。
【０１１１】
第３１の実施形態は、第１及び第２の導電性層の長手方向縁部が、第１及び第２の基材の長手方向縁部よりも粗い、実施形態３０のケーブルである。
【０１１２】
本発明は、上記の特定の実施例及び実施形態に限定されるものとみなされるべきではなく、そのような実施形態は、本発明の様々な態様の説明を容易にするように詳細に記載されている。むしろ本発明は、添付される特許請求の範囲によって定義される本発明の趣旨及び範囲内に含まれる様々な改変形態、等価の工程、及び代替装置を含む、本発明の全ての態様を包含するものと理解されたい。
【符号の説明】
【０１１３】
２１００…ケーブル、２１０２…誘電単一ブロック、２１０４…中間部分、２１０８…第１及び第２の導電性遮蔽フィルム、２１４０…接着層。
【図１】
2019091721.tif 000003
【図２】
2019091721.tif 000004
【図３Ａ】
2019091721.tif 000005
【図３Ｂ】
2019091721.tif 000006
【図３Ｃ】
2019091721.tif 000007
【図３Ｄ】
2019091721.tif 000008
【図４】
2019091721.tif 000009
【図５】
2019091721.tif 000010
【図６Ａ】
2019091721.tif 000011
【図６Ｂ】
2019091721.tif 000012
【図６Ｃ】
2019091721.tif 000013
【図６Ｄ】
2019091721.tif 000014
【図６Ｅ】
2019091721.tif 000015
【図７Ａ】
2019091721.tif 000016
【図７Ｂ】
2019091721.tif 000017
【図７Ｃ】
2019091721.tif 000018
【図７Ｄ】
2019091721.tif 000019
【図７Ｅ】
2019091721.tif 000020
【図７Ｆ】
2019091721.tif 000021
【図７Ｇ】
2019091721.tif 000022
【図７Ｈ】
2019091721.tif 000023
【図７Ｉ】
2019091721.tif 000024
【図７Ｊ】
2019091721.tif 000025
【図７Ｋ】
2019091721.tif 000026
【図７Ｌ】
2019091721.tif 000027
【図７Ｍ】
2019091721.tif 000028
【図７Ｎ】
2019091721.tif 000029
【図７Ｏ】
2019091721.tif 000030
【図７Ｐ】
2019091721.tif 000031
【図８】
2019091721.tif 000032
【図９Ａ】
2019091721.tif 000033
【図９Ｂ】
2019091721.tif 000034
【図９Ｃ】
2019091721.tif 000035
【図１０Ａ】
2019091721.tif 000036
【図１０Ｂ】
2019091721.tif 000037
【図１１Ａ】
2019091721.tif 000038
【図１１Ｂ】
2019091721.tif 000039
【図１２Ａ】
2019091721.tif 000040
【図１２Ｂ】
2019091721.tif 000041
【図１３Ａ】
2019091721.tif 000042
【図１３Ｂ】
2019091721.tif 000043
【図１４Ａ】
2019091721.tif 000044
【図１４Ｂ】
2019091721.tif 000045
【図１５Ａ】
2019091721.tif 000046
【図１５Ｂ】
2019091721.tif 000047
【図１５Ｃ】
2019091721.tif 000048
【図１６Ａ】
2019091721.tif 000049
【図１６Ｂ】
2019091721.tif 000050
【図１７Ａ】
2019091721.tif 000051
【図１７Ｂ】
2019091721.tif 000052
【図１７Ｃ】
2019091721.tif 000053
【図１７Ｄ】
2019091721.tif 000054
【図１８Ａ】
2019091721.tif 000055
【図１８Ｂ】
2019091721.tif 000056
【図１８Ｃ】
2019091721.tif 000057
【図１８Ｄ】
2019091721.tif 000058
【図１９Ａ】
2019091721.tif 000059
【図１９Ｂ】
2019091721.tif 000060
【図１９Ｃ】
2019091721.tif 000061
【図２０Ａ】
2019091721.tif 000062
【図２０Ｂ】
2019091721.tif 000063
【図２１】
2019091721.tif 000064
【図２２Ａ】
2019091721.tif 000065
【図２２Ｂ】
2019091721.tif 000066
【図２２Ｃ】
2019091721.tif 000067
【図２３Ａ】
2019091721.tif 000068
【図２３Ｂ】
2019091721.tif 000069
【図２４Ａ】
2019091721.tif 000070
【図２４Ｂ】
2019091721.tif 000071
【図２４Ｃ】
2019091721.tif 000072
【図２４Ｄ】
2019091721.tif 000073
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
ケーブルであって、
１つ又は２つ以上の導体セットであって、各導体セットは、該ケーブルの長さに沿って延在し、かつ１つ又は２つ以上の絶縁導体を含み、各絶縁導体は、誘電材料によって包囲される中心導体を含む、導体セットと、
１つ又は２つ以上の誘電単一ブロックであって、各単一ブロックは、該ケーブルの長さに沿って延在し、各単一ブロックは、前記ケーブルの長手方向縁部に配置されると共に前記１つ又は２つ以上の導体セットの前記絶縁導体と離間している、誘電単一ブロックと、
該導体セット及び該誘電ブロックの互いに向かい合う第１及び第２の側面上に配置された第１及び第２の導電性遮蔽フィルムであって、該第１及び第２の導電性遮蔽フィルムは、カバー部分と、挟み付け部分と、を含み、該カバー部分及び該挟み付け部分は、断面において、該第１及び第２の遮蔽フィルムの該カバー部分が組み合わさって各導体セット及び各単一ブロックを実質的に包囲し、該第１及び第２の遮蔽フィルムの該挟み付け部分が組み合わさって、該導体セットの両側において、かつ、該単一ブロックの少なくとも片側において、該ケーブルの挟み付け部分を形成するように配置構成される、第１及び第２の導電性遮蔽フィルムと、
該ケーブルの該挟み付け部分において、該第１の遮蔽フィルムを該第２の遮蔽フィルムに結合する接着層と、を含む、ケーブル。
【外国語明細書】
2019091721000001.pdf